(57)【要約】【課題】凹部を形成する柵部材の表裏方向への厚みによる仮想直線部の直線方向への長さの増大を解消し、凹部を有するサークル本体を確実に閉成することができる凹部付きペット用サークルを提供する。【解決手段】複数枚の柵部材２の左右方向端同士を、直線部１１ａ，１１ｂにおいて表裏両側辺を突き合わせた状態で連結する一方、角部１４において左右方向端同士の裏側辺のみを突き合わせた状態で連結して構成される凹部付きペット用サークル１Ａを前提とする。サークル本体１０Ａの２つの仮想直線部５ａ，５ｂに跨る凹部５Ａを、サークル本体１０Ａの各柵部材２から置換された１組の短尺柵部材５０により形成する。この各短尺柵部材５０の枠体５０１の左右方向の長さを、当該各短尺柵部材５０の表裏方向の厚みによって増大する増大分の長さだけ短く設定している。【選択図】図１
2014003944.tif 000002
【特許請求の範囲】
【請求項１】
断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されているとともに、前記サークル本体の内方へ凹む凹部が形成された凹部付きペット用サークルであって、
前記各柵部材のうち、前記直線部において互いに相隣なる双方の柵部材は、互いの左右方向端同士の表裏両側辺をそれぞれ突き合わせた状態で連結されている一方、前記サークル本体の角部において互いに相隣なる双方の柵部材は、互いの左右方向端同士の裏側辺のみを突き合わせた状態で連結されており、
前記凹部は、
前記各直線部のうちの前記角部を挟んで互いに隣接する２つの直線部を仮想にした２つの仮想直線部に跨って凹設されているとともに、
前記各仮想直線部において互いに相隣なる柵部材のうちの一方の柵部材の他方の柵部材側の左右方向端の裏側辺に対して一方の左右方向端の裏側辺のみを突き合わせた状態で連結されてそれぞれ前記サークル本体の内方向きに延び、かつその内方へ延びる他方の左右方向端の表側辺のみを突き合わせた状態で連結された１組の柵部材を備え、
前記１組の柵部材及び前記各仮想直線部上の柵部材の少なくとも一方は、前記１組の柵部材の表裏方向の厚みによって増大する増大分の長さだけ枠体の左右方向の長さが短く設定された短尺柵部材に置換されていることを特徴とする凹部付きペット用サークル。
【請求項２】
断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されているとともに、前記サークル本体の内方へ凹む凹部が形成された凹部付きペット用サークルであって、
前記各柵部材のうち、前記直線部において互いに相隣なる双方の柵部材は、互いの左右方向端同士の表裏両側辺をそれぞれ突き合わせた状態で連結されている一方、前記サークル本体の角部において互いに相隣なる双方の柵部材は、互いの左右方向端同士の裏側辺のみを突き合わせた状態で連結されており、
前記凹部は、
前記各直線部のうちの前記角部を挟んで互いに隣接する２つの直線部を仮想にした２つの仮想直線部に跨って凹設されているとともに、
前記各仮想直線部において互いに相隣なる柵部材のうちの一方の柵部材の他方の柵部材側の左右方向端の裏側辺に対して一方の左右方向端の裏側辺のみを突き合わせた状態で連結されてそれぞれ前記サークル本体の内方向きに延び、かつその内方へ延びる他方の左右方向端の表側辺のみを突き合わせた状態で連結された１組の柵部材を備え、
前記各仮想直線部とそれぞれ対向する前記サークル本体の２つの直線部上の柵部材同士の間には、前記１組の柵部材の表裏方向の厚みによって増大する増大分の長さに相当する左右方向の長さに設定された縦杆部材が介設されていることを特徴とする凹部付きペット用サークル。
【請求項３】
断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されているとともに、前記サークル本体の内方へ凹む凹部が形成された凹部付きペット用サークルであって、
前記各柵部材のうち、前記直線部において互いに相隣なる双方の柵部材は、互いの左右方向端同士の表裏両側辺をそれぞれ突き合わせた状態で連結されている一方、前記サークル本体の角部において互いに相隣なる双方の柵部材は、互いの左右方向端同士の裏側辺のみを突き合わせた状態で連結されており、
前記凹部は、
前記各直線部のうちの前記角部を挟んで互いに隣接する２つの直線部を仮想にした２つの仮想直線部に跨って凹設されているとともに、
前記各仮想直線部において互いに相隣なる柵部材のうちの一方の柵部材の他方の柵部材側の左右方向端の裏側辺に対して一方の左右方向端の裏側辺のみを突き合わせた状態で連結されてそれぞれ前記サークル本体の内方向きに延び、かつその内方へ延びる他方の左右方向端の表側辺のみを突き合わせた状態で連結された１組の柵部材を備え、
前記１組の柵部材及び前記各仮想直線部上の柵部材の少なくとも一方は、前記１組の柵部材の表裏方向の厚みによって増大する増大分の長さのうちの一部分に相当する長さだけ枠体の左右方向の長さが短く設定された短尺柵部材に置換されているとともに、前記各仮想直線部とそれぞれ対向する前記サークル本体の２つの直線部上の柵部材同士の間には、前記１組の柵部材の表裏方向の厚みによって増大する増大分の長さのうちの残る部分の長さに相当する左右方向の長さに設定された縦杆部材が介設されていることを特徴とする凹部付きペット用サークル。
【請求項４】
断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されているとともに、前記サークル本体の内方へ凹む凹部が形成された凹部付きペット用サークルであって、
前記各柵部材のうち、前記直線部において互いに相隣なる双方の柵部材は、互いの左右方向端同士の表裏両側辺をそれぞれ突き合わせた状態で連結されている一方、前記サークル本体の角部において互いに相隣なる双方の柵部材は、互いの左右方向端同士の裏側辺のみを突き合わせた状態で連結されており、
前記凹部は、
前記各直線部のうちの単一の直線部を仮想にした仮想直線部上より凹設されているとともに、
前記仮想直線部において少なくとも１つの柵部材の左右長さに相当する間隔を隔てて互いに対向する双方の柵部材の左右方向端の裏側辺に対してそれぞれ一方の左右方向端の裏側辺のみを突き合わせた状態で連結されて前記サークル本体の内方向きに略平行に延びる１組の柵部材と、
この１組の柵部材の内方側における他方の左右方向端の表側辺に対してそれぞれ左右方向端の表側辺のみを突き合わせた状態で当該１組の柵部材の他方の左右方向端同士を連結する連結用の柵部材と、
を備え、
前記仮想直線部上の柵部材及び前記連結用の柵部材の少なくとも一方は、前記１組の柵部材の表裏方向の厚みによって増大する増大分の長さだけ枠体の左右方向の長さが短く設定された短尺柵部材に置換されていることを特徴とする凹部付きペット用サークル。
【請求項５】
断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されているとともに、前記サークル本体の内方へ凹む凹部が形成された凹部付きペット用サークルであって、
前記各柵部材のうち、前記直線部において互いに相隣なる双方の柵部材は、互いの左右方向端同士の表裏両側辺をそれぞれ突き合わせた状態で連結されている一方、前記サークル本体の角部において互いに相隣なる双方の柵部材は、互いの左右方向端同士の裏側辺のみを突き合わせた状態で連結されており、
前記凹部は、
前記各直線部のうちの単一の直線部を仮想にした仮想直線部上より凹設されているとともに、
前記仮想直線部において少なくとも１つの柵部材の左右長さに相当する間隔を隔てて互いに対向する双方の柵部材の左右方向端の裏側辺に対してそれぞれ一方の左右方向端の裏側辺のみを突き合わせた状態で連結されて前記サークル本体の内方向きに略平行に延びる１組の柵部材と、
この１組の柵部材の内方側における他方の左右方向端の表側辺に対してそれぞれ左右方向端の表側辺のみを突き合わせた状態で当該１組の柵部材の他方の左右方向端同士を連結する連結用の柵部材と、
を備え、
前記仮想直線部と対向する前記サークル本体の直線部上の柵部材同士の間には、前記１組の柵部材の表裏方向の厚みによって増大する増大分に相当する左右方向の長さに設定された縦杆部材が介設されていることを特徴とする凹部付きペット用サークル。
【請求項６】
断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されているとともに、前記サークル本体の内方へ凹む凹部が形成された凹部付きペット用サークルであって、
前記各柵部材のうち、前記直線部において互いに相隣なる双方の柵部材は、互いの左右方向端同士の表裏両側辺をそれぞれ突き合わせた状態で連結されている一方、前記サークル本体の角部において互いに相隣なる双方の柵部材は、互いの左右方向端同士の裏側辺のみを突き合わせた状態で連結されており、
前記凹部は、
前記各直線部のうちの単一の直線部を仮想にした仮想直線部上より凹設されているとともに、
前記仮想直線部において少なくとも１つの柵部材の左右長さに相当する間隔を隔てて互いに対向する双方の柵部材の左右方向端の裏側辺に対してそれぞれ一方の左右方向端の裏側辺のみを突き合わせた状態で連結されて前記サークル本体の内方向きに略平行に延びる１組の柵部材と、
この１組の柵部材の内方側における他方の左右方向端の表側辺に対してそれぞれ左右方向端の表側辺のみを突き合わせた状態で当該１組の柵部材の他方の左右方向端同士を連結する連結用の柵部材と、
を備え、
前記仮想直線部上の柵部材及び前記連結用の柵部材の少なくとも一方は、前記１組の柵部材の表裏方向の厚みによって増大する増大分の長さのうちの一部分に相当する長さだけ枠体の左右方向の長さが短く設定された短尺柵部材に置換されているとともに、前記仮想直線部と対向する前記サークル本体の直線部上の柵部材同士の間には、前記１組の柵部材の表裏方向の厚みによって増大する増大分の長さのうちの残る部分に相当する左右方向の長さに設定された縦杆部材が介設されていることを特徴とする凹部付きペット用サークル。
【請求項７】
前記１組の柵部材の他方の左右方向端には、互いに左右方向端のうちの一方の左右方向端同士の裏側辺のみを突き合わせた状態で連結して互いに直行する２方向へ延びる２つの柵部材の他方の左右方向端同士の表側辺のみを互いに突き合わせた状態で連結してなる段部が形成されており、
前記段部を形成する各柵部材、及び前記段部を形成する各柵部材とそれぞれ直行しかつ前記仮想直線部上の柵部材を含む前記凹部内の柵部材の少なくとも一方は、前記段部を形成する各柵部材の表裏方向の厚みによって増大する増大分の長さだけ枠体の左右方向の長さが短く設定された短尺柵部材に置換されている請求項１〜請求項６のいずれか１つに記載の凹部付きペット用サークル。
【請求項８】
前記１組の柵部材の他方の左右方向端には、互いに左右方向端のうちの一方の左右方向端同士の裏側辺のみを突き合わせた状態で連結して互いに直行する２方向へ延びる２つの柵部材の他方の左右方向端同士の表側辺のみを互いに突き合わせた状態で連結してなる段部が形成されており、
前記段部を形成する各柵部材とそれぞれ直行する２つの直線部上の柵部材同士の間には、前記段部を形成する各柵部材の表裏方向の厚みによって増大する増大分の長さに相当する左右方向の長さに設定された縦杆部材が介設されている請求項１〜請求項６のいずれか１つに記載の凹部付きペット用サークル。
【請求項９】
前記１組の柵部材の他方の左右方向端には、互いに左右方向端のうちの一方の左右方向端同士の裏側辺のみを突き合わせた状態で連結して互いに直行する２方向へ延びる２つの柵部材の他方の左右方向端同士の表側辺のみを互いに突き合わせた状態で連結してなる段部が形成されており、
前記段部を形成する各柵部材、及び前記段部を形成する各柵部材とそれぞれ直行しかつ前記仮想直線部上の柵部材を含む前記凹部内の柵部材の少なくとも一方は、前記段部を形成する各柵部材の表裏方向の厚みによって増大する増大分の長さのうちの一部分に相当する長さだけ枠体の左右方向の長さが短く設定された短尺柵部材に置換されているとともに、前記段部を形成する各柵部材とそれぞれ直行する２つの直線部上の柵部材同士の間には、前記段部を形成する各柵部材の表裏方向の厚みによって増大する増大分の長さのうちの残る部分に相当する左右方向の長さに設定された縦杆部材が介設されている請求項１〜請求項６のいずれか１つに記載の凹部付きペット用サークル。
【発明の詳細な説明】
【技術分野】
【０００１】
本発明は、犬などのペット用サークルに関し、詳しくは、サークル本体に当該サークル本体の内部に凹む凹部を設けた凹部付きのものに係る。
【背景技術】
【０００２】
近年、子犬等のペットを家屋内の一定の場所に入れておくために、ペット用サークルが用いられている。
このペット用サークルは、断面略矩形状の左右の縦杆とこれらの縦杆の上下両端同士を連結する断面略矩形状の横杆とからなる枠体を備えた複数枚の柵部材の互いに隣接し合う左右方向端同士を真直ぐおよび／または直角に連結して構成され、その構成されたサークル本体内にペットを収容するようにしている（特許文献１参照）。
【０００３】
このようなペット用サークルにおいては、各柵部材のうち、互いに相隣なる双方の柵部材を、サークル本体を平面視で見て真直ぐな直線部では互いの左右方向端同士の表裏両側辺をそれぞれ突き合わせた状態で連結する一方、サークル本体を平面視で見て直角な角部では互いの左右方向端同士の裏側辺のみを突き合わせた状態で連結するようにしたものが知られている（例えば、特許文献２参照）。
【先行技術文献】
【特許文献】
【０００４】
【特許文献１】特開２００７−１８９９３８号公報
【特許文献２】特開２０１０−２２２６５号公報
【発明の概要】
【発明が解決しようとする課題】
【０００５】
ところで、サークル本体を家屋内に設置する場合、家屋内に柱や角などの障害物があると、サークル本体が設置できないことがある。そのため、サークル本体の直線部を形成する複数の柵部材を組み替えて内方へ凹む凹部を形成し、この凹部によって障害物との干渉を回避する必要がある。要するに、サークル本体の直線部上に障害物が位置していれば、その障害物との干渉を回避する上で、当該直線部を仮想にした仮想直線部上に角部を設けて当該仮想直線部上より内方へ凹む凹部を形成すればよい。このような凹部は、屋内の観葉植物や備品などの設置ペースとしても有効利用可能であり、インテリア性の向上を図る上で非常に有利なものとなる。
【０００６】
しかし、サークル本体の角部において互いに相隣なる双方の柵部材の左右方向端同士の裏側辺のみを突き合わせて連結していると、凹部を形成するに当たってサークル本体の仮想直線部より内方へ柵部材を延ばした際にその内方へ延びる柵部材の表裏方向への厚みによって仮想直線部の直線方向への長さが増大することになる。そのため、仮想直線部とこれと対向するサークル本体の直線部との互いの直線方向への長さに差が生じ、これでは凹部を有するサークル本体を閉成することができない。
【０００７】
本発明は、かかる点に鑑みてなされたものであり、その目的とするところは、凹部を形成する柵部材の表裏方向への厚みによる仮想直線部の直線方向への長さの増大を解消し、凹部を有するサークル本体を確実に閉成することができる凹部付きペット用サークルを提供することにある。
【課題を解決するための手段】
【０００８】
前記目的を達成するため、本発明が講じた解決手段は、断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されているとともに、前記サークル本体の内方へ凹む凹部が形成された凹部付きペット用サークルを前提とし、前記各柵部材のうち、前記直線部において互いに相隣なる双方の柵部材を、互いの左右方向端同士の表裏両側辺をそれぞれ突き合わせた状態で連結する一方、前記サークル本体の角部において互いに相隣なる双方の柵部材を、互いの左右方向端同士の裏側辺のみを突き合わせた状態で連結している。更に、前記凹部を、前記各直線部のうちの前記角部を挟んで互いに隣接する２つの直線部を仮想にした２つの仮想直線部に跨って凹設する。また、前記凹部に、前記各仮想直線部において互いに相隣なる柵部材のうちの一方の柵部材の他方の柵部材側の左右方向端の裏側辺に対して一方の左右方向端の裏側辺のみを突き合わせた状態で連結されてそれぞれ前記サークル本体の内方向きに延び、かつその内方へ延びる他方の左右方向端の表側辺のみを突き合わせた状態で連結された１組の柵部材を備える。そして、前記１組の柵部材及び前記各仮想直線部上の柵部材の少なくとも一方を、前記１組の柵部材の表裏方向の厚みによって増大する増大分の長さだけ枠体の左右方向の長さが短く設定された短尺柵部材に置換することを特徴としている。
【０００９】
これに対し、前記目的を達成するため、本発明が講じたその他の解決手段は、断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されているとともに、前記サークル本体の内方へ凹む凹部が形成された凹部付きペット用サークルを同様に前提とし、前記各柵部材のうち、前記直線部において互いに相隣なる双方の柵部材を、互いの左右方向端同士の表裏両側辺をそれぞれ突き合わせた状態で連結する一方、前記サークル本体の角部において互いに相隣なる双方の柵部材を、互いの左右方向端同士の裏側辺のみを突き合わせた状態で連結している。更に、前記凹部を、前記各直線部のうちの前記角部を挟んで互いに隣接する２つの直線部を仮想にした２つの仮想直線部に跨って凹設する。また、前記凹部に、前記各仮想直線部において互いに相隣なる柵部材のうちの一方の柵部材の他方の柵部材側の左右方向端の裏側辺に対して一方の左右方向端の裏側辺のみを突き合わせた状態で連結されてそれぞれ前記サークル本体の内方向きに延び、かつその内方へ延びる他方の左右方向端の表側辺のみを突き合わせた状態で連結された１組の柵部材を備える。そして、  前記各仮想直線部とそれぞれ対向する前記サークル本体の２つの直線部上の柵部材同士の間に、前記１組の柵部材の表裏方向の厚みによって増大する増大分の長さに相当する左右方向の長さに設定された縦杆部材を介設することを特徴としている。
【００１０】
一方、前記目的を達成するため、本発明が講じたその他の解決手段は、断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されているとともに、前記サークル本体の内方へ凹む凹部が形成された凹部付きペット用サークルを同様に前提とし、前記各柵部材のうち、前記直線部において互いに相隣なる双方の柵部材を、互いの左右方向端同士の表裏両側辺をそれぞれ突き合わせた状態で連結する一方、前記サークル本体の角部において互いに相隣なる双方の柵部材を、互いの左右方向端同士の裏側辺のみを突き合わせた状態で連結している。更に、前記凹部を、前記各直線部のうちの前記角部を挟んで互いに隣接する２つの直線部を仮想にした２つの仮想直線部に跨って凹設する。また、前記凹部に、前記各仮想直線部において互いに相隣なる柵部材のうちの一方の柵部材の他方の柵部材側の左右方向端の裏側辺に対して一方の左右方向端の裏側辺のみを突き合わせた状態で連結されてそれぞれ前記サークル本体の内方向きに延び、かつその内方へ延びる他方の左右方向端の表側辺のみを突き合わせた状態で連結された１組の柵部材を備える。そして、  前記１組の柵部材及び前記各仮想直線部上の柵部材の少なくとも一方を、前記１組の柵部材の表裏方向の厚みによって増大する増大分の長さのうちの一部分に相当する長さだけ枠体の左右方向の長さが短く設定された短尺柵部材に置換するとともに、前記各仮想直線部とそれぞれ対向する前記サークル本体の２つの直線部上の柵部材同士の間に、前記１組の柵部材の表裏方向の厚みによって増大する増大分の長さのうちの残る部分の長さに相当する左右方向の長さに設定された縦杆部材を介設することを特徴としている。
【００１１】
また、前記目的を達成するため、本発明が講じたその他の解決手段は、断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されているとともに、前記サークル本体の内方へ凹む凹部が形成された凹部付きペット用サークルを同様に前提とし、前記各柵部材のうち、前記直線部において互いに相隣なる双方の柵部材を、互いの左右方向端同士の表裏両側辺をそれぞれ突き合わせた状態で連結する一方、前記サークル本体の角部において互いに相隣なる双方の柵部材を、互いの左右方向端同士の裏側辺のみを突き合わせた状態で連結している。更に、前記凹部を、前記各直線部のうちの単一の直線部を仮想にした仮想直線部上より凹設する。また、前記凹部に、前記仮想直線部において少なくとも１つの柵部材の左右長さに相当する間隔を隔てて互いに対向する双方の柵部材の左右方向端の裏側辺に対してそれぞれ一方の左右方向端の裏側辺のみを突き合わせた状態で連結されて前記サークル本体の内方向きに略平行に延びる１組の柵部材と、この１組の柵部材の内方側における他方の左右方向端の表側辺に対してそれぞれ左右方向端の表側辺のみを突き合わせた状態で当該１組の柵部材の他方の左右方向端同士を連結する連結用の柵部材と、を備える。そして、前記仮想直線部上の柵部材及び前記連結用の柵部材の少なくとも一方を、前記１組の柵部材の表裏方向の厚みによって増大する増大分の長さだけ枠体の左右方向の長さが短く設定された短尺柵部材に置換することを特徴としている。
【００１２】
これに対し、前記目的を達成するため、本発明が講じたその他の解決手段は、断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されているとともに、前記サークル本体の内方へ凹む凹部が形成された凹部付きペット用サークルを同様に前提とし、前記各柵部材のうち、前記直線部において互いに相隣なる双方の柵部材を、互いの左右方向端同士の表裏両側辺をそれぞれ突き合わせた状態で連結する一方、前記サークル本体の角部において互いに相隣なる双方の柵部材を、互いの左右方向端同士の裏側辺のみを突き合わせた状態で連結している。更に、前記凹部を、前記各直線部のうちの単一の直線部を仮想にした仮想直線部上より凹設する。また、前記凹部に、前記仮想直線部において少なくとも１つの柵部材の左右長さに相当する間隔を隔てて互いに対向する双方の柵部材の左右方向端の裏側辺に対してそれぞれ一方の左右方向端の裏側辺のみを突き合わせた状態で連結されて前記サークル本体の内方向きに略平行に延びる１組の柵部材と、この１組の柵部材の内方側における他方の左右方向端の表側辺に対してそれぞれ左右方向端の表側辺のみを突き合わせた状態で当該１組の柵部材の他方の左右方向端同士を連結する連結用の柵部材と、を備える。そして、前記仮想直線部と対向する前記サークル本体の直線部上の柵部材同士の間に、前記１組の柵部材の表裏方向の厚みによって増大する増大分に相当する左右方向の長さに設定された縦杆部材を介設することを特徴としている。
【００１３】
一方、前記目的を達成するため、本発明が講じたその他の解決手段は、断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されているとともに、前記サークル本体の内方へ凹む凹部が形成された凹部付きペット用サークルを同様に前提とし、前記各柵部材のうち、前記直線部において互いに相隣なる双方の柵部材を、互いの左右方向端同士の表裏両側辺をそれぞれ突き合わせた状態で連結する一方、前記サークル本体の角部において互いに相隣なる双方の柵部材を、互いの左右方向端同士の裏側辺のみを突き合わせた状態で連結している。更に、前記凹部を、前記各直線部のうちの単一の直線部を仮想にした仮想直線部上より凹設する。また、前記凹部に、前記仮想直線部において少なくとも１つの柵部材の左右長さに相当する間隔を隔てて互いに対向する双方の柵部材の左右方向端の裏側辺に対してそれぞれ一方の左右方向端の裏側辺のみを突き合わせた状態で連結されて前記サークル本体の内方向きに略平行に延びる１組の柵部材と、この１組の柵部材の内方側における他方の左右方向端の表側辺に対してそれぞれ左右方向端の表側辺のみを突き合わせた状態で当該１組の柵部材の他方の左右方向端同士を連結する連結用の柵部材と、を備える。そして、前記仮想直線部上の柵部材及び前記連結用の柵部材の少なくとも一方を、前記１組の柵部材の表裏方向の厚みによって増大する増大分の長さのうちの一部分に相当する長さだけ枠体の左右方向の長さが短く設定された短尺柵部材に置換するとともに、前記仮想直線部と対向する前記サークル本体の直線部上の柵部材同士の間に、前記１組の柵部材の表裏方向の厚みによって増大する増大分の長さのうちの残る部分に相当する左右方向の長さに設定された縦杆部材を介設することを特徴としている。
【００１４】
更に、前記１組の柵部材の他方の左右方向端に、互いに左右方向端のうちの一方の左右方向端同士の裏側辺のみを突き合わせた状態で連結して互いに直行する２方向へ延びる２つの柵部材の他方の左右方向端同士の表側辺のみを互いに突き合わせた状態で連結してなる段部を形成し、前記段部を形成する各柵部材、及びこの段部を形成する各柵部材と直行しかつ前記凹部を形成する各柵部材と共に含まれる前記仮想直線部上の柵部材の少なくとも一方を、前記段部を形成する各柵部材の表裏方向の厚みによって増大する増大分の長さだけ枠体の左右方向の長さが短く設定された短尺柵部材に置換することが好ましい。
【００１５】
これに対し、前記１組の柵部材の他方の左右方向端に、互いに左右方向端のうちの一方の左右方向端同士の裏側辺のみを突き合わせた状態で連結して互いに直行する２方向へ延びる２つの柵部材の他方の左右方向端同士の表側辺のみを互いに突き合わせた状態で連結してなる段部を形成し、前記段部を形成する各柵部材とそれぞれ直行する２つの直線部上の柵部材同士の間に、前記段部を形成する各柵部材の表裏方向の厚みによって増大する増大分の長さに相当する左右方向の長さに設定された縦杆部材を介設することが好ましい。
【００１６】
一方、前記１組の柵部材の他方の左右方向端に、互いに左右方向端のうちの一方の左右方向端同士の裏側辺のみを突き合わせた状態で連結して互いに直行する２方向へ延びる２つの柵部材の他方の左右方向端同士の表側辺のみを互いに突き合わせた状態で連結してなる段部を形成し、前記段部を形成する各柵部材、及びこの段部を形成する各柵部材と直行しかつ前記凹部を形成する各柵部材と共に含まれる前記仮想直線部上の柵部材の少なくとも一方を、前記段部を形成する各柵部材の表裏方向の厚みによって増大する増大分の長さのうちの一部分に相当する長さだけ枠体の左右方向の長さが短く設定された短尺柵部材に置換するとともに、前記段部を形成する各柵部材とそれぞれ直行する２つの直線部上の柵部材同士の間に、前記段部を形成する各柵部材の表裏方向の厚みによって増大する増大分の長さのうちの残る部分に相当する左右方向の長さに設定された縦杆部材を介設することが好ましい。
【発明の効果】
【００１７】
以上、要するに、サークル本体の互いに隣接する２つの直線部を仮想にした２つの仮想直線部に跨る凹部を形成するものにおいて、２つの仮想直線部上の柵部材、及び各仮想直線部に跨る凹部を形成する１組の柵部材の少なくとも一方を、１組の柵部材の表裏方向の厚みによって増大する増大分の長さだけ枠体の左右方向の長さが短く設定された短尺柵部材に置換することで、凹部を形成する１組の柵部材の表裏方向の厚みにより増大する各仮想直線部の直線方向の長さの増大分がその増大分だけ枠体の左右方向の長さの短い短尺柵部材によって吸収され、各仮想直線部とこれらにそれぞれ対向するサークル本体の２つの直線部との互いの直線方向への長さに差が生じることがない。これにより、凹部を有するサークル本体を確実に閉成することができる。しかも、凹部を形成する１組の柵部材を短尺柵部材に置換すれば、凹部を最小限度の大きさに止めてサークル本体の凹部による縮小化を可及的に抑えることができる。
【００１８】
これに対し、同様に２つの仮想直線部に跨る凹部を形成するものにおいて、各仮想直線部とそれぞれ対向するサークル本体の２つの直線部上の柵部材同士の間に、１組の柵部材の表裏方向の厚みによって増大する増大分の長さに相当する左右方向の長さに設定された縦杆部材を介設することで、凹部を形成する１組の柵部材の表裏方向の厚みにより増大する各仮想直線部の直線方向の長さの増大分が、各仮想直線部にそれぞれ対向するサークル本体の各直線部上での縦杆部材の介設によって解消され、各仮想直線部とこれらにそれぞれ対向するサークル本体の２つの直線部との互いの直線方向への長さに差が生じることがない。これにより、凹部を有するサークル本体を確実に閉成することができる。しかも、各仮想直線部とこれらに対向するサークル本体の２つの直線部との互いの直線方向への長さの差が当該各直線部上での縦杆部材の介設によって解消されることから、縦杆部材を用いるだけで全ての柵部材を共用することができる。
【００１９】
一方、同様に２つの仮想直線部に跨る凹部を形成するものにおいて、２つの仮想直線部上の柵部材及び凹部を形成する１組の柵部材の少なくとも一方を、１組の柵部材の表裏方向の厚みによって増大する増大分のうちの一部分の長さだけ枠体の左右方向の長さが短く設定された短尺柵部材に置換するとともに、各仮想直線部とそれぞれ対向するサークル本体の２つの直線部上の柵部材同士の間に、１組の柵部材の表裏方向の厚みによって増大する増大分のうちの残る部分の長さに相当する左右方向の長さに設定された縦杆部材を介設することで、凹部を形成する１組の柵部材の表裏方向の厚みにより増大する各仮想直線部の直線方向の長さの増大分のうちの一部分が短尺柵部材によって吸収されるとともに、増大分のうちの残る部分がサークル本体の２つの直線部上での縦杆部材の介設によって解消され、各仮想直線部とこれらにそれぞれ対向する２つの直線部との互いの直線方向への長さに差が生じることがない。これにより、凹部を有するサークル本体を確実に閉成することができる。しかも、短尺柵部材及び縦杆部材を併用することで、凹部の大きさを可及的に小さく止めつつ短尺柵部材を除いて全て同一の柵部材によりサークル本体を形成することができる。
【００２０】
また、単一の仮想直線部より凹部を凹設するものにおいて、仮想直線部上の柵部材、及び仮想直線部より凹部を形成する１組の柵部材の他方の左右方向端同士を連結する連結用の柵部材の少なくとも一方を、１組の柵部材の表裏方向の厚みによって増大する増大分の長さだけ枠体の左右方向の長さが短く設定された短尺柵部材に置換することで、凹部を形成する１組の柵部材の表裏方向の厚みによって仮想直線部の直線方向へ増大する長さの増大分が短尺柵部材により吸収され、仮想直線部とこれに対向するサークル本体の直線部との互いの直線方向への長さに差が生じることがない。これにより、凹部を有するサークル本体を確実に閉成することができる。しかも、凹部を形成する連結用の柵部材を短尺柵部材に置換すれば、凹部を最小限度の大きさに止めてサークル本体の凹部による縮小化を可及的に抑えることができる。
【００２１】
これに対し、同様に単一の仮想直線部より凹部を凹設するものにおいて、仮想直線部と対向するサークル本体の直線部上の柵部材同士の間に、１組の柵部材の表裏方向の厚みによって増大する増大分に相当する左右方向の長さに設定された縦杆部材を介設することで、凹部を形成する１組の柵部材の表裏方向の厚みによって仮想直線部の直線方向へ増大する長さの増大分が仮想直線部と対向するサークル本体の直線部上での縦杆部材の介設によって解消され、仮想直線部とこれに対向するサークル本体の直線部との互いの直線方向への長さに差が生じることがない。これにより、凹部を有するサークル本体を確実に閉成することができる。しかも、仮想直線部とこれに対向するサークル本体の直線部との互いの直線方向への長さの差が当該直線部上での縦杆部材の介設によって解消されることから、縦杆部材を用いるだけで全ての柵部材を共用することができる。
【００２２】
一方、同様に単一の仮想直線部より凹部を凹設するものにおいて、仮想直線部上の柵部材、及び仮想直線部より凹部を形成する１組の柵部材の他方の左右方向端同士を連結する連結用の柵部材の少なくとも一方を、１組の柵部材の表裏方向の厚みによって増大する増大分のうちの一部分の長さだけ枠体の左右方向の長さが短く設定された短尺柵部材に置換するとともに、仮想直線部と対向するサークル本体の直線部上の柵部材同士の間に、増大分のうちの残る部分に相当する左右方向の長さに設定された縦杆部材を介設することで、凹部を形成する１組の柵部材の表裏方向の厚みによって仮想直線部の直線方向へ増大する長さの増大分のうちの一部分が短尺柵部材により吸収されるとともに、増大分のうちの残る部分が仮想直線部と対向するサークル本体の直線部上での縦杆部材の介設によって解消され、仮想直線部とこれに対向するサークル本体の直線部との互いの直線方向への長さに差が生じることがない。これにより、凹部を有するサークル本体を確実に閉成することができる。しかも、短尺柵部材及び縦杆部材を併用することで、凹部の大きさを可及的に小さく止めつつ短尺柵部材を除いて全て同一の柵部材によりサークル本体を形成することができる。
【００２３】
更に、前記段部を形成する各柵部材、及び前記段部を形成する各柵部材とそれぞれ直行しかつ前記仮想直線部上の柵部材を含む前記凹部内の柵部材の少なくとも一方を、段部を形成する各柵部材の表裏方向の厚みによって増大する増大分の長さだけ枠体の左右方向の長さが短く設定された短尺柵部材に置換することで、段部を形成する各柵部材の表裏方向の厚みによって増大する長さの増大分が短尺柵部材により吸収され、段部を形成する各柵部材とこれとそれぞれ対向する各直線部との互いの直線方向への長さに差が生じることがない。これにより、凹部及び段部を有するサークル本体を確実に閉成することができる。しかも、段部を形成する各柵部材を短尺柵部材に置換すれば、段部を最小限度の大きさに止めることができる。
【００２４】
これに対し、段部を形成する各柵部材とそれぞれ直行する２つの直線部上の柵部材同士の間に、段部を形成する各柵部材の表裏方向の厚みによって増大する増大分の長さに相当する左右方向の長さに設定された縦杆部材を介設することで、段部を形成する各柵部材の表裏方向の厚みによって増大する長さの増大分が当該各柵部材とそれぞれ直行する２つの直線部上での縦杆部材の介設によって解消され、段部を形成する各柵部材とこれにそれぞれ対向する各直線部との互いの直線方向への長さに差が生じることがない。これにより、凹部及び段部を有するサークル本体を確実に閉成することができる。しかも、段部を形成する各柵部材とそれぞれ直行する直線部上に縦杆部材を介設すれば、縦杆部材を用いるだけで全ての柵部材を共用することができる。
【００２５】
一方、前記段部を形成する各柵部材、及び前記段部を形成する各柵部材とそれぞれ直行しかつ前記仮想直線部上の柵部材を含む前記凹部内の柵部材の少なくとも一方を、段部を形成する各柵部材の表裏方向の厚みによって増大する増大分の長さのうちの一部分に相当する長さだけ枠体の左右方向の長さが短く設定された短尺柵部材に置換するとともに、段部を形成する各柵部材とそれぞれ直行する２つの直線部上の柵部材同士の間に、増大分の長さのうちの残る部分に相当する左右方向の長さに設定された縦杆部材を介設することで、段部を形成する各柵部材の表裏方向の厚みによって増大する長さの増大分のうちの一部分が短尺柵部材により吸収されるとともに、増大分のうちの残る部分が当該各柵部材とそれぞれ直行する２つの直線部上での縦杆部材の介設によって解消され、段部を形成する各柵部材とこれとそれぞれ対向する各直線部との互いの直線方向への長さに差が生じることがない。これにより、凹部及び段部を有するサークル本体を確実に閉成することができる。しかも、段部を形成する各柵部材を短尺柵部材に置換するとともに、段部を形成する各柵部材とそれぞれ直行する直線部上に縦杆部材を介設すれば、段部を最小限度の大きさに止めつつ短尺柵部材を除いて全て同一の柵部材によりサークル本体を形成することができる。
【図面の簡単な説明】
【００２６】
【図１】本発明の第１の実施の形態に係る凹部付きペット用サークルの平面図である。
【図２】図１の凹部付きペット用サークルの斜視図である。
【図３】図２の凹部付きペット用サークルのサークル本体を形成する柵部材単体の斜視図である。
【図４】図２の凹部付きペット用サークルのサークル本体の直線部において互いに相隣なる双方の柵部材の左右方向端同士を連結する直線部用固定具の分解斜視図である。
【図５】図２の凹部付きペット用サークルのサークル本体の角部において互いに相隣なる双方の柵部材の左右方向端同士を連結する角部用固定具の分解斜視図である。
【図６】図５の角部用固定部により連結される柵部材の左右方向端同士を斜め下方から見た斜視図である。
【図７】第１の実施の形態の変形例に係る凹部付きペット用サークルの平面図である。
【図８】本発明の第２の実施の形態に係る凹部付きペット用サークルの平面図である。
【図９】図８の凹部付きペット用サークルの斜視図である。
【図１０】図９の凹部付きペット用サークルのサークル本体の直線部において互いに相隣なる双方の柵部材の左右方向端同士を連結する直線部用固定具の分解斜視図である。
【図１１】図９の凹部付きペット用サークルのサークル本体の直線部において互いに相隣なる双方の柵部材の左右方向端の縦杆同士を縦杆用締結具によって連結している状態を示す横断平面図である。
【図１２】第２の実施の形態の変形例に係る凹部付きペット用サークルのサークル本体の直線部において互いに相隣なる双方の柵部材の左右方向端同士を連結する直線部用固定具の分解斜視図である。
【図１３】本発明の第３の実施の形態に係る凹部付きペット用サークルの平面図である。
【図１４】第３の実施の形態の変形例に係る凹部付きペット用サークルの平面図である。
【図１５】本発明の第４の実施の形態に係る凹部付きペット用サークルの平面図である。
【図１６】図１５の凹部付きペット用サークルの斜視図である。
【図１７】本発明の第５の実施の形態に係る凹部付きペット用サークルの平面図である。
【図１８】本発明の第６の実施の形態に係る凹部付きペット用サークルの平面図である。
【図１９】本発明の第７の実施の形態に係る凹部付きペット用サークルの平面図である。
【図２０】第７の実施の形態の変形例に係る凹部付きペット用サークルの平面図である。
【図２１】第７の実施の形態のその他の変形例に係る凹部付きペット用サークルの平面図である。
【図２２】第７の実施の形態のその他の変形例に係る凹部付きペット用サークルの平面図である。
【図２３】本発明の第８の実施の形態に係る凹部付きペット用サークルの平面図である。
【図２４】第８の実施の形態の変形例に係る凹部付きペット用サークルの平面図である。
【図２５】第８の実施の形態のその他の変形例に係る凹部付きペット用サークルの平面図である。
【図２６】第８の実施の形態のその他の変形例に係る凹部付きペット用サークルの平面図である。
【発明を実施するための形態】
【００２７】
以下、本発明の実施の形態を添付した図面により詳細に説明する。
【００２８】
先ず、図１は本発明の第１の実施の形態に係る凹部付きペット用サークルの平面図、図２は同凹部付きペット用サークルの斜視図、図３は同凹部付きペット用サークルのサークル本体を形成する柵部材単体の斜視図、図４は同凹部付きペット用サークルのサークル本体の直線部において互いに相隣なる双方の柵部材の左右方向端同士を連結する直線部用固定具の分解斜視図、図５は同凹部付きペット用サークルのサークル本体の角部において互いに相隣なる双方の柵部材の左右方向端同士を連結する角部用固定具の分解斜視図、図６は角部用固定部により連結される柵部材の左右方向端同士を斜め下方から見た斜視図をそれぞれ示している。
【００２９】
図１及び図２において符号１Ａで示す凹部付きペット用サークルは、木製の枠体２０を備えた複数枚の柵部材２，２，…の互いに隣接し合う左右方向端２１，２１同士を、平面視で見てサークル本体１０Ａの真直ぐな直線部１１ａ，１１ｂ及び直角に折れ曲がる角部１２においてそれぞれ連結して構成される。枠体２０は、図３にも示すように、断面略矩形状の左右の縦杆２２，２２と、これらの縦杆２２，２２の互いに向き合う対向面２２０，２２０の上下両端をそれぞれ連結する断面略矩形状の上下の横杆２３，２３とからなる。そして、サークル本体１０Ａは、縦方向（図１では上下方向）に直線状に延びる直線部１１ａと、横方向（図１では左右方向）に直線状に延びる直線部１１ｂと、直線部１１ａと対向して縦方向へ直線状に延びる仮想直線部５ａと、直線部１１ｂと対向して横方向に直線状に延びる仮想直線部５ｂとで構成されている。各直線部１１ａ，１１ｂ上にはそれぞれ２枚の柵部材２，２が配置されている。また、一方の仮想直線部５ａ上には、１枚の柵部材２が配置されているとともに、他方の仮想直線部５ｂ上には、柵部材としての出入口用柵部材６が配置されている。そして、各柵部材２及び出入口用柵部材６の枠体２０，６０には、横杆２３，２３の間を左右方向所定間隔置き（例えば５〜７ｃｍ置き）に上下方向に連結する柵棒体２４，２４，…が設けられている。この場合、各仮想直線部５ａ，５ｂは、柵部材２及び出入口用柵部材６に対して仮想の柵部材２がそれぞれ連結され、各直線部１１ａ，１１ｂとによって、略矩形状を呈するサークル本体１０Ａが仮想で形成可能となっている。
【００３０】
また、図４に示すように、各柵部材２のうち、サークル本体１０の直線部１１ａ，１１ｂ上において互いに相隣なる双方の柵部材２，２は、その隣接し合う一方の左右方向端２１，２１同士の表裏両側辺２１１，２１２をそれぞれ突き合わせた状態で直線部用固定具３により連結されている。一方、図５に示すように、サークル本体１０Ａの角部１２において互いに相隣なる直線部１１ａ，１１ｂ上の柵部材２と仮想直線部５ａ，５ｂ上の柵部材２及び出入口用柵部材６とは、その隣接し合う他方の左右方向端２１，２１，６１同士の裏側辺２１２，２１２，６１２のみを突き合わせた状態で角部用固定具４により連結されている。
【００３１】
前記各柵部材２の枠体２０の四隅（隅部）には、上下の横杆２３，２３の左右両端を当該各柵部材２の表裏方向（図４では手前奥方向）に貫通する表裏方向貫通孔２５が設けられているとともに、各縦杆２２の上下両端部をそれぞれ左右方向（図４では左右方向）に貫通する左右方向貫通孔２６が設けられている。
【００３２】
直線部用固定具３は、サークル本体１０Ａの直線部１１ａ上において互いに相隣なる双方の柵部材２，２の一方の左右方向端２１同士の表裏方向貫通孔２５に対応する表裏方向対応孔３１，３１を長手方向両端部に有する合成樹脂製の長尺材３２を有し、かつこの長尺材３２を当該双方の柵部材２，２に亘って締結するように表裏方向貫通孔２５及び表裏方向対応孔３１にそれぞれ挿通される長尺材用締結具３３を備えている。この長尺材用締結具３３は、長さ方向一端に回転操作用フランジ３３１を備えた螺子軸３３２と、長さ方向一端に回転操作用フランジ３３３を有し、かつ螺子軸３３２を螺合可能とする螺子筒３３４とをそれぞれ備えている。そして、長尺材用締結具３３は、サークル本体１０Ａの直線部１１ａ，１１ｂ上において互いに相隣なる双方の柵部材２，２の一方の左右方向端２１同士の表裏方向貫通孔２５に対し長尺材３２の左右方向両端部の表裏方向対応孔３１，３１を対応させた状態で、各表裏方向対応孔３１から螺子軸３３２を挿通し、各表裏方向貫通孔２５から挿通した螺子筒３３４に螺合することで、当該双方の柵部材２，２に亘って長尺材３２を締結している。
【００３３】
一方、図６にも示すように、角部用固定具４は、中心角度が９０°の扇状に形成された扇状連結部材４１と、この扇状連結部材４１をサークル本体１０Ａの角部１２において互いに相隣なる双方の柵部材２，２の枠体２０の裏側面２２１における縦杆２２の上下両端に締結する螺着部材４２とを備えている。扇状連結部材４１は、サークル本体１０Ａの角部１２において互いに相隣なる双方の柵部材２，２の他方の左右方向端２１，２１同士の裏側辺２１２に隣接する裏側面２２１（縦杆２２の裏側面２２１）に対しそれぞれ対面する半径面部４１１，４１１を有し、この各半径面部４１１には表裏方向貫通孔２５に対応する対応穴４１２が設けられている。また、螺着部材４２は、軸材の側部にねじ孔４３１を有するナット４３と、このナット４３のねじ孔４３１に螺着されるねじ４４とを備えている。更に、扇状連結部材４１の一側面４１３には、ナット４３を収納するナット収納穴４１４，４１４が設けられ、この各ナット収納穴４１４は、各半径面部４１１の対応穴４１２に対して直交している。
【００３４】
各ナット４３は、扇状連結部材４１のナット収納穴４１４の径よりやや小さい径の金属軸材からなり、この軸部材の頭部には＋状の溝４３２が形成されている。そして、角部用固定具４は、角部１２において互いに相隣なる双方の柵部材２，２の他方の左右方向端２１，２１同士の表裏方向貫通孔２５に対し扇状連結部材４１の各半径面部４１１の対応穴４１２を対応させた状態で、各ナット収納穴４１４にナット４３を収納してから、表裏方向貫通孔２５を介して対応穴４１２に挿通させたねじ４４をナット４３のねじ孔４３１に螺着することで、当該双方の柵部材２，２に扇状連結部材４１を締結している。このとき、各ナット４３の頭部をその溝４３２に装填したドライバーなどにより回転させることで、対応穴４１２にねじ孔４３１を合致させて当該ねじ孔４３１に対するねじ４４の螺着を可能にしている。この場合、ねじ４４は、各横杆２３の表裏方向貫通孔２５及び対応穴４１２を介してナット４３のねじ孔４３１に螺着可能な長さに設定されている。
【００３５】
更に、出入口用柵部材６は、左右の縦杆６２，６２と、これらの縦杆６２の下端を連結する横杆６３と、これらの各杆６２，６３により形成された出入口６８を開閉する扉６９と、を備えている。また、出入口用柵部材６は、その各縦杆６２が各柵部材２の各縦杆２２よりも幅広（例えば縦杆２２の略２倍の左右方向幅）に形成され、当該各縦杆６２の上下両端部に表裏方向貫通孔２５を備えている。また、扉６９は、枠体６０を構成する一方の縦杆６２にヒンジ金具（図示せず）を介して揺動自由に支持されている。この扉６９は、矩形枠状に形成され、その枠内に柵棒体２４，２４，…を備えている。なお、図１及び図２における符号６１は出入口用柵部材６の左右方向端（縦杆６２の左右方向端）であり、６１１，６１２は表側辺及び裏側辺である。
【００３６】
そして、サークル本体１０Ａは、家屋内に設置され、その家屋内の柱や角等の障害物（図示せず）との干渉を回避する上で、当該サークル本体１０Ａの内方へ凹む凹部５Ａを有している。この凹部５Ａは、サークル本体１０Ａの直線部１１ａ，１１ｂと対向する仮想直線部上に位置する障害物（図示せず）との干渉を回避する上で、当該仮想直線部５ａ，５ｂ上よりサークル本体１０Ａの内方へ凹ませて形成されている。つまり、凹部５Ａは、サークル本体１０Ａの直線部１１ａ，１１ｂと対向する仮想直線部５ａ，５ｂに跨って凹設されている。
【００３７】
凹部５Ａは、サークル本体１０Ａの各柵部材２とは置換された１組の短尺柵部材５０，５０により形成されている。具体的には、凹部５Ａは、仮想直線部５ａ上の柵部材２の一方の左右方向端２１の裏側辺２１２に対し一方の左右方向端５１が裏側辺５１２のみを突き合わせた状態で角部用固定具４により連結されてサークル本体１０Ａの内方向きに横方向へ延びる短尺柵部材５０と、仮想直線部５ｂ上に配置された出入口用柵部材６の柵部材２の一方の左右方向端６１の裏側辺６１２に対し一方の左右方向端５１の裏側辺５１２のみを突き合わせた状態で角部用固定具４により連結されてサークル本体１０Ａの内方向きに縦方向へ延びる短尺柵部材５０とを備え、この１組の短尺柵部材５０，５０のそれぞれ内方へ延びる他方の左右方向端５１，５１同士が表側辺５１１，５１１のみを突き合わせた状態で角部用固定具４により連結されて形成されている。
【００３８】
そして、凹部５Ａを形成する１組の短尺柵部材５０，５０は、各短尺柵部材５０の表裏方向の厚み（例えば２６ｍｍ）によって増大する縦方向又は横方向への増大分の長さ（例えば２６ｍｍ）だけ枠体５０１の左右方向の長さつまり上下の横杆５３，５３の左右方向の長さがそれぞれ短く設定されている。また、各短尺柵部材５０の縦杆５２は、各柵部材２の縦杆２２と同一のものであり、上下両端部に左右方向貫通孔２６を備えている。更に、各短尺柵部材５０の横杆５３の左右両端にも、表裏方向貫通孔２５が設けられている。また、各短尺柵部材５０の枠体５０１にも、柵棒体２４，２４，…が設けられている。
【００３９】
したがって、本実施の形態では、互いに相隣なる２つの仮想直線部５ａ，５ｂに跨る凹部５Ａを形成する１組の短尺柵部材５０，５０の枠体５０１の左右方向の長さつまり横杆５３，５３の左右方向の長さが、当該各短尺柵部材５０，５０の表裏方向の厚みによって増大する縦方向又は横方向への増大分の長さだけそれぞれ短く設定されているので、凹部５Ａを形成する１組の短尺柵部材５０，５０の表裏方向の厚みにより増大する各仮想直線部５ａ，５ｂの直線方向への長さの増大分がその増大分だけ枠体５０１の左右方向の長さをそれぞれ短くした当該各短尺柵部材５０によって吸収され、各仮想直線部５ａ，５ｂとこれらにそれぞれ対向するサークル本体１０Ａの直線部１１ａ，１１ｂとの互いの直線方向への長さに差が生じることがない。これにより、凹部５Ａを有するサークル本体１０Ａを確実に閉成することができる。
【００４０】
しかも、凹部５Ａを形成する１組の柵部材を短尺柵部材５０，５０に置換することで、凹部５Ａを最小限度の大きさに止めてサークル本体１０Ａの凹部５Ａによる縮小化を可及的に抑えることができる。
【００４１】
なお、前記第１の実施の形態では、凹部５Ａを１組の短尺柵部材５０，５０により形成したが、図７に示すように、凹部５Ｂを１組の柵部材２，２により形成し、仮想直線部５ａ，５ｂ上の柵部材（図７に実線で示す柵部材）がそれぞれ短尺柵部材５０に置換されていてもよい。具体的には、凹部５Ｂは、仮想直線部５ａ上の短尺柵部材５０の一方の左右方向端５１の裏側辺５１２に対して一方の左右方向端２１の裏側辺２１２のみを突き合わせた状態で角部用固定具４により連結されてサークル本体１０Ｂの内方向きに縦方向へ延びる柵部材２と、仮想直線部５ｂ上の短尺柵部材５０の一方の左右方向端５１の裏側辺５１２に対して一方の左右方向端２１の裏側辺２１２のみを突き合わせた状態で角部用固定具４により連結されてサークル本体１０Ｂの内方向きに横方向へ延びる柵部材２と、を備え、この１組の柵部材２，２のそれぞれ内方へ延びる他方の左右方向端２１，２１同士が表側辺２１１，２１１のみを突き合わせた状態で角部用固定具４により連結されて形成される。
【００４２】
次に、本発明の第２の実施の形態を図８〜図１１に基づいて説明する。
この実施の形態では、１組の柵部材２，２を用いて凹部５Ｃを形成している。なお、第１の実施の形態と同一の部分については同じ符号を付してその詳細な説明は省略する。
【００４３】
図８は本発明の第２の実施の形態に係る凹部付きペット用サークルの平面図、図９は同凹部付きペット用サークルの斜視図、図１０は同凹部付きペット用サークルのサークル本体の直線部において互いに相隣なる双方の柵部材の左右方向端同士を連結する直線部用固定具の分解斜視図、図１１は同凹部付きペット用サークルのサークル本体の直線部において互いに相隣なる双方の柵部材の左右方向端の縦杆同士を縦杆用締結具によって連結している状態を示す横断平面図をそれぞれ示している。
【００４４】
図８及び図９において符号１Ｃで示す凹部付きペット用サークルは、家屋内に設置され、その家屋内の柱や壁等の障害物（図示せず）との干渉を回避する上で、サークル本体１０Ｃの内方へ凹む凹部５Ｃを有している。この凹部５Ｃは、サークル本体１０Ｃの直線部１１ａ，１１ｂと対向する仮想直線部５ａ，５ｂよりサークル本体１０Ｃの内方へ凹ませて形成され、当該仮想直線部５ａ，５ｂに跨って凹設されている。
【００４５】
凹部５Ｃは、仮想直線部５ａ上の柵部材２の一方の左右方向端２１の裏側辺２１２に対して一方の左右方向端２１が裏側辺２１２のみを突き合わせた状態で角部用固定具４により連結されてサークル本体１０Ｃの内方向きに横方向へ延びる柵部材２と、仮想直線部５ｂ上の出入口用柵部材６の一方の左右方向端６１の裏側辺６１２に対して一方の左右方向端２１の裏側辺２１２のみを突き合わせた状態で角部用固定具４により連結されてサークル本体１０Ｃの内方向きに縦方向へ延びる柵部材２とを備え、この１組の柵部材２のそれぞれ内方へ延びる他方の左右方向端２１，２１同士が表側辺２１１，２１１のみを突き合わせた状態で角部用固定具４により連結されて形成されている。
【００４６】
そして、図１０及び図１１にも示すように、各仮想直線部５ａ，５ｂとそれぞれ対向するサークル本体１０Ｃの２つの直線部１１ａ，１１ｂ上の柵部材２，２同士の間には、断面略矩形状の縦杆部材５４がそれぞれ介設されている。この各縦杆部材５４は、凹部５Ｃを形成する１組の柵部材２，２の表裏方向の厚みによって増大する縦方向又は横方向への増大分の長さに相当する左右方向の長さ、つまり左右方向の長さが柵部材２，２の表裏方向の厚みと同じ長さに設定されている。そして、各縦杆部材５４の上下両端部には、各柵部材２の縦杆２２の左右方向貫通孔２６に対応してそれぞれ左右方向に貫通する左右方向貫通孔５４１，５４１が設けられている。
【００４７】
また、直線部用固定具３は、サークル本体１０Ａの直線部１１ａ，１１ｂ上において縦杆部材５４を挟んで互いに相隣なる双方の柵部材２，２の左右方向端２１の表裏方向貫通孔２５に対応する表裏方向対応孔３１，３１を長手方向両端部に有する合成樹脂製の長尺材３４を有し、かつ各柵部材２の表裏方向貫通孔２５及び長尺材３４の表裏方向対応孔３１にそれぞれ挿通されて締結される長尺材用締結具３３と、サークル本体１０Ａの直線部１１ａ上において縦杆部材５４を挟んで互いに相隣なる双方の柵部材２，２の縦杆２２同士を締結するように当該縦杆２２同士の左右方向貫通孔２６，２６にそれぞれ挿通される縦杆用締結具３５とを備えている。この場合、長尺材３４は、縦杆部材５４を挟んで互いに相隣なる双方の柵部材２，２の縦杆２２の左右方向貫通孔２６，２６に縦杆用締結具３５を挿通する上で、縦杆部材５４の左右方向の長さ分だけ長尺に形成されている。
【００４８】
一方、縦杆用締結具３５は、長さ方向一端に回転操作用フランジ３５１を備えた螺子軸３５２と、長さ方向一端に回転操作用フランジ３５３を有し、かつ螺子軸３５２を螺合可能とする螺子筒３５４とをそれぞれ備えている。そして、縦杆用締結具３５は、サークル本体１０Ｃの直線部１１ａ，１１ｂ上において双方の柵部材２，２の左右方向貫通孔２６及び縦杆部材５４の左右方向貫通孔５４１をそれぞれ合致させた状態で、一方の柵部材２（図１１では右側の柵部材）の左右方向貫通孔２６から螺子軸３５２を挿通し、他方の柵部材２（図１１では左側の柵部材）の左右方向貫通孔２６から挿通した螺子筒３５４に螺合することで、双方の柵部材２，２及び縦杆部材５４を締結している。この場合、螺子筒３５４は、他方の柵部材２の左右方向貫通孔２６から挿通されて縦杆部材５４の左右方向貫通孔５４１の軸線方向略中間位置まで至るような長さに設定されており、一方の柵部材２の左右方向貫通孔２６から挿通される螺子軸３５２の長さを可及的に抑えている。
【００４９】
したがって、本実施の形態では、各仮想直線部５ａ，５ｂとそれぞれ対向するサークル本体１０Ｃの２つの直線部１１ａ，１１ｂ上の柵部材２，２同士の間に、凹部５Ｃを形成する１組の柵部材２，２の表裏方向の厚みによって増大する縦方向又は横方向への増大分の長さに相当する左右方向の長さに設定された縦杆部材５４がそれぞれ介設されているので、凹部５Ｃを形成する１組の柵部材２，２の表裏方向の厚みにより増大する各仮想直線部５ａ，５ｂの直線方向の長さの増大分が、各仮想直線部５ａ，５ｂにそれぞれ対向するサークル本体１０Ｃの各直線部１１ａ，１１ｂ上での縦杆部材５４の介設によって解消され、各仮想直線部５ａ，５ｂとこれらにそれぞれ対向するサークル本体１０Ｃの２つの直線部１１ａ，１１ｂとの互いの直線方向への長さに差が生じることがない。これにより、凹部５Ｃを有するサークル本体１０Ｃを確実に閉成することができる。
【００５０】
しかも、各仮想直線部５ａ，５ｂとこれらに対向するサークル本体１０Ｃの２つの直線部１１ａ，１１ｂとの互いの直線方向への長さの差が当該各直線部１１ａ，１１ｂ上での縦杆部材５４の介設によって解消されることから、縦杆部材５４を用いるだけで全ての柵部材２，２，…を共用することができる。
【００５１】
なお、前記実施の形態では、螺子筒３５４と螺子軸３５２との螺合により双方の柵部材２，２及び縦杆部材５４を締結したが、図１２に示すように、縦杆部材５４の左右方向貫通孔５４１にナット部材２８を嵌挿し、双方の柵部材２，２の左右方向貫通孔２６からそれぞれ挿通される縦杆用締結具２７の螺子軸２７１をナット部材２８の双方から螺合させることによって、双方の柵部材２，２及び縦杆部材５４が締結されるようにしてもよい。
【００５２】
次に、本発明の第３の実施の形態を図１３に基づいて説明する。
この実施の形態では、短尺柵部材と縦杆部材とを組み合わせている。なお、前記各実施の形態と同一の部分については同じ符号を付してその詳細な説明は省略する。
【００５３】
図１３は本発明の第３の実施の形態に係る凹部付きペット用サークルの平面図を示し、この図１３において符号１Ｄで示す凹部付きペット用サークルは、家屋内に設置され、その家屋内の柱や壁等の障害物（図示せず）との干渉を回避する上で、サークル本体１０Ｄの内方へ凹む凹部５Ｄを有している。この凹部５Ｄは、サークル本体１０Ｄの直線部１１ａ，１１ｂと対向する仮想直線部５ａ，５ｂよりサークル本体１０Ｃの内方へ凹ませて形成され、当該仮想直線部５ａ，５ｂに跨って凹設されている。
【００５４】
仮想直線部５ａ上には、直線部１１ｂ上の柵部材２の他方の左右方向端２１に対し他方の左右方向端６１が角部用固定具４により連結された出入口用柵部材６が配置されている。一方、仮想直線部５ｂ上には、サークル本体１０Ｄの柵部材２とは置換された短尺柵部材としての微短尺柵部材５６が配置されている。この微短尺柵部材５６は、直線部１１ｃ上の柵部材２の他方の左右方向端２１に対し他方の左右方向端５１が角部用固定具４により連結されている。
【００５５】
凹部５Ｄは、サークル本体１０Ｄの各柵部材２と同一の柵部材２と、各柵部材２とは置換された微短尺柵部材５６とにより形成されている。具体的には、凹部５Ｄは、仮想直線部５ａ上の出入口用柵部材６の一方の左右方向端６１の裏側辺６１２に対して一方の左右方向端２１が裏側辺２１２のみを突き合わせた状態で角部用固定具４により連結されてサークル本体１０Ｄの内方向きに横方向へ延びる柵部材２と、仮想直線部５ｂ上の微短尺柵部材５６の一方の左右方向端５１の裏側辺５１２に対して一方の左右方向端５１の裏側辺５１２のみを突き合わせた状態で角部用固定具４により連結されてサークル本体１０Ｄの内方向きに縦方向へ延びる微短尺柵部材５６とを備え、この両柵部材２，５６のそれぞれ内方へ延びる他方の左右方向端２１，５１同士が表側辺２１１，５１１のみを突き合わせた状態で角部用固定具４により連結されて形成されている。
【００５６】
各微短尺柵部材５６の枠体５６０の左右方向の長さは、凹部５Ｄを形成する２方向の柵部材の表裏方向の厚みにより増大する仮想直線部５ａ，５ｂ毎の直線方向の長さの増大分の半分の長さ（例えば１３ｍｍ）だけ短い長さに設定されている。また、両微短尺柵部材５６の枠体５６０の四隅（隅部）にも、上下の横杆５３，５３の左右両端を当該両微短尺柵部材５６の表裏方向に貫通する表裏方向貫通孔２５が設けられているとともに、各縦杆５２の上下両端部をそれぞれ左右方向に貫通する左右方向貫通孔２６が設けられている。
【００５７】
そして、仮想直線部５ｂと対向するサークル本体１０Ｄの直線部１１ｂ上の柵部材２，２同士の間には、断面略矩形状の縦杆部材５７がそれぞれ介設されている。この各縦杆部材５７の左右方向の長さは、凹部５Ｄを形成する柵部材２及び微短尺柵部材５６のそれぞれの表裏方向の厚みにより増大する仮想直線部５ａ，５ｂ毎の直線方向の長さの増大分の残り半分に相当する長さ（例えば１３ｍｍ）に設定されている。そして、直線部１１ａ，１１ｂ上の柵部材２，２及び縦杆部材５７は、後述する長尺材３７を締結する長尺材用締結具３３と、柵部材２，２同士を縦杆部材５７を挟んで締結する縦杆用締結具３５とによって連結されている。また、直線部用固定具３は、縦杆部材５７を挟んで互いに相隣なる双方の柵部材２，２の縦杆２２の左右方向貫通孔２６，２６に縦杆用締結具３５を挿通する上で、縦杆部材５７の左右方向の長さ分だけ長尺に形成された長尺材３７を備えている。
【００５８】
したがって、本実施の形態では、仮想直線部５ｂ上の柵部材及びこの柵部材の一方の左右方向端２１に連結されてサークル本体１０Ｄの内方向きに延びる柵部材を、凹部５Ｄを形成する２方向の柵部材の表裏方向の厚みによって増大する仮想直線部５ａ，５ｂの縦方向又は横方向への長さの増大分の半分だけ枠体５６０の左右方向の長さを短くした微短尺柵部材５６にそれぞれ置換するとともに、この各微短尺柵部材５６と対向するサークル本体１０Ｄの直線部１１ａ，１１ｂ上の柵部材２，２同士の間に、凹部５Ｄを形成する２方向の柵部材の表裏方向の厚みによって増大する増大分の残り半分の長さに相当する左右方向の長さの縦杆部材５７がそれぞれ介設されているので、凹部５Ｄを形成する２方向の柵部材の表裏方向の厚みにより増大する仮想直線部５ａ，５ｂの縦方向又は横方向への長さの増大分の半分が短尺柵部材５０によって吸収されるとともに、その各仮想直線部５ａ，５ｂの直線方向の長さの増大分の残り半分がサークル本体１０Ｄの直線部１１ａ，１１ｂ上での縦杆部材５７の介設によって解消され、各仮想直線部５ａ，５ｂとこれらにそれぞれ対向する各直線部１１ａ，１１ｂとの互いの直線方向への長さに差が生じることがない。これにより、凹部５Ｄを有するサークル本体１０Ｄを確実に閉成することができる。
【００５９】
しかも、微短尺柵部材５６及び縦杆部材５７を併用することで、凹部５Ｄの大きさを可及的に小さく止めつつ微短尺柵部材５６及び縦杆部材５７を除いて全て同一の柵部材２，２，…によりサークル本体１０Ｄを形成することができる。
【００６０】
なお、本実施の形態では、凹部５Ｄを形成する縦方向及び横方向への柵部材２，５６の表裏方向の厚みにより増大する仮想直線部５ａ，５ｂの直線方向の長さの増大分の半分だけそれぞれ枠体５６０の左右方向の長さを短くした微短尺柵部材５６と、その各仮想直線部５ａ，５ｂの直線方向の長さの増大分の残り半分に相当する左右方向の長さの縦杆部材５７とを用いたが、各仮想直線部の直線方向の長さの増大分が短尺柵部材と縦杆部材とで半分ずつ分担されていなくてもよく、その分担割合は任意に設定すればよい。また、図１４に示すように、凹部５Ｄを形成する２方向の柵部材２及び短尺柵部材５０の表裏方向の厚みにより増大する仮想直線部５ａ，５ｂのうちの一方（仮想直線部５ａ）の直線方向の長さの増大分だけ枠体５０１の左右方向の長さを短くした短尺柵部材５０と、その各仮想直線部５ａ，５ｂのうちの他方（仮想直線部５ｂ）の直線方向の長さの増大分の全てに相当する左右方向の長さの縦杆部材５４とが用いられていてもよい。
【００６１】
次に、本発明の第４の実施の形態を図１５及び図１６に基づいて説明する。
この実施の形態では、単一の仮想直線部上において凹部５Ｅを形成している。なお、前記各実施の形態と同一の部分については同じ符号を付してその詳細な説明は省略する。
【００６２】
図１５は本発明の第４の実施の形態に係る凹部付きペット用サークルの平面図、図１６は同凹部付きペット用サークルの斜視図をそれぞれ示している。
【００６３】
図１５及び図１６において符号１Ｅで示す凹部付きペット用サークルは、家屋内に設置され、その家屋内の柱や壁等の障害物（図示せず）との干渉を回避する上で、サークル本体１０Ｅの内方へ凹む凹部５Ｅを有している。この凹部５Ｅは、サークル本体１０Ｅの直線部１１ｂと対向する単一の仮想直線部５ｂよりサークル本体１０Ｅの内方へ凹ませて形成されている。
【００６４】
サークル本体１０Ｅは、縦方向（図１５では上下方向）に直線状に延びる直線部１１ａ，１１ｃと、横方向（図１５では左右方向）に直線状に延びる直線部１１ｂと、直線部１１ｂと対向して横方向へ直線状に延びる仮想直線部５ｂとで構成されている。縦方向の各直線部１１ａ，１１ｃ上には２枚の柵部材２，２が配置され、横方向の直線部１１ｂ上には３枚の柵部材２，２，…が配置されている。一方、仮想直線部５ｂ上には、サークル本体１０Ａの各柵部材２とは置換された短尺柵部材５０と出入口用柵部材６とが配置され、この両柵部材５０，６間には１枚の柵部材２にほぼ相当する間隔が存在している。この場合、仮想直線部５ｂは、各直線部１１ａ〜１１ｃとによって、略矩形状を呈するサークル本体１０Ｅが仮想で形成可能となっている。
【００６５】
凹部５Ｅは、サークル本体１０Ｅの各柵部材２と同一の１組の柵部材２，２と、各柵部材２とは置換された微短尺柵部材５６とにより形成されている。具体的には、凹部５Ｅは、単一の仮想直線部５ｂ上において１つの柵部材２（図１５に二点鎖線で示す）の左右長さに相当する間隔を隔てて互いに対向する短尺柵部材５０及び出入口用柵部材６の互いに向き合う一方の左右方向端５１，６１の裏側辺５１２，６１２に対してそれぞれ一方の左右方向端２１の裏側辺２１２のみを突き合わせた状態で角部用固定具４により連結されてサークル本体１０Ｅの内方向きに縦方向へ略平行に延びる１組の柵部材２，２と、この１組の柵部材２，２の内方側における他方の左右方向端２１，２１の表側辺２１１，２１１に対してそれぞれ左右方向端５１の表側辺５１１のみを突き合わせた状態で当該各柵部材２，２の他方の左右方向端２１，２１同士をそれぞれ角部用固定具４により連結する連結用の短尺柵部材５０とが適用されている。そして、仮想直線部５ｂ上の短尺柵部材５０及び連結用の短尺柵部材５０は、１組の柵部材２，２毎の表裏方向の厚みによって増大する仮想直線部５ｂ上での箇々の増大分の長さだけ枠体５０１の左右方向の長さが短く設定されている。
【００６６】
したがって、本実施の形態では、単一の仮想直線部５ｂ上の短尺柵部材５０及び凹部５Ｅ内の連結用の短尺柵部材５０が、それぞれ１組の柵部材２，２毎の表裏方向の厚みによって増大する仮想直線部５ｂ上での箇々の増大分の長さだけ枠体５０１の左右方向の長さが短く設定されているので、凹部５Ｅを形成する１組の柵部材２，２の表裏方向の厚みによって仮想直線部５ｂの直線方向へ増大する長さの増大分が短尺柵部材５０，５０により箇々に吸収され、仮想直線部５ｂとこれに対向するサークル本体の直線部１１ｂとの互いの直線方向への長さに差が生じることがない。これにより、凹部５Ｅを有するサークル本体１０Ｅを確実に閉成することができる。
【００６７】
しかも、仮想直線部５ｂより内方へ延びる１組の柵部材２，２の他方の左右方向端２１，２１同士を短尺柵部材５０により連結することで、凹部５Ｅを最小限度の大きさに止めてサークル本体１０Ｅの凹部５Ｅによる縮小化を可及的に抑えることができる。
【００６８】
次に、本発明の第５の実施の形態を図１７に基づいて説明する。
この実施の形態では、単一の仮想直線部５ｂ上において３枚の柵部材２，２を用いて凹部５Ｆを形成している。なお、前記各実施の形態と同一の部分については同じ符号を付してその詳細な説明は省略する。
【００６９】
図１７は本発明の第５の実施の形態に係る凹部付きペット用サークルの平面図を示し、この図１７において符号１Ｆで示す凹部付きペット用サークルは、家屋内に設置され、その家屋内の柱や壁等の障害物（図示せず）との干渉を回避する上で、サークル本体１０Ｆの内方へ凹む凹部５Ｆを有している。この凹部５Ｆは、サークル本体１０Ｆの直線部１１ｂと対向する単一の仮想直線部５ｂよりサークル本体１０Ｆの内方へ凹ませて形成されている。
【００７０】
凹部５Ｆは、サークル本体１０Ｆの各柵部材２と同一の３枚の柵部材２，２，…により形成されている。具体的には、凹部５Ｆは、単一の仮想直線部５ｂ上において１つの柵部材２（図１７に二点鎖線で示す）の左右長さに相当する間隔を隔てて互いに対向する柵部材２及び出入口用柵部材６の互いに向き合う一方の左右方向端２１，６１の裏側辺２１２，６１２に対してそれぞれ一方の左右方向端２１の裏側辺２１２のみを突き合わせた状態で角部用固定具４により連結されて前記サークル本体１０Ｆの内方向きに略平行に延びる１組の柵部材２，２と、この１組の柵部材２，２の内方側における他方の左右方向端２１，２１の表側辺２１１，２１１に対してそれぞれ左右方向端２１の表側辺２１１のみを突き合わせた状態で当該１組の柵部材２，２の他方の左右方向端２１，２１同士をそれぞれ角部用固定具４により連結する連結用の柵部材２とを備えている。
【００７１】
そして、仮想直線部５ｂと対向するサークル本体１０Ｆの直線部１１ｂ上において互いに隣接する３枚の柵部材２，２，２同士の間には、２つの断面略矩形状の縦杆部材５４がそれぞれ介設されている。また、直線部用固定具３は、長尺材３４を有する長尺材用締結具３３と、縦杆用締結具３５とを備えている。
【００７２】
したがって、本実施の形態では、単一の仮想直線部５ｂと対向するサークル本体１０Ｆの直線部１１ｂ上において互いに隣接する３枚の柵部材２，２，２同士の間に、１組の柵部材２，２の表裏方向の厚みによって増大する増大分に相当する左右方向の長さに設定された２つの縦杆部材５４がそれぞれ介設されているので、凹部５Ｆを形成する１組の柵部材２，２の表裏方向の厚みによって仮想直線部５ｂの直線方向へ増大する長さの増大分が仮想直線部５ｂと対向するサークル本体１０Ｆの直線部１１ｂ上において互いに隣接する各柵部材２，２同士の間への縦杆部材５４，５４の介設によって解消され、仮想直線部５ｂとこれに対向するサークル本体１０Ｆの直線部１１ｂとの互いの直線方向への長さに差が生じることがない。これにより、凹部５Ｆを有するサークル本体１０Ｆを確実に閉成することができる。
【００７３】
しかも、仮想直線部５ｂとこれに対向するサークル本体１０Ｆの直線部１１ｂとの互いの直線方向への長さの差が当該直線部１１ｂ上での２つの縦杆部材５４，５４の介設によって解消されることから、縦杆部材５４を用いるだけで全て同一の柵部材２，２，…によりサークル本体１０Ｆを形成することができる。
【００７４】
次に、本発明の第６の実施の形態を図１８に基づいて説明する。
この実施の形態では、凹部を設けるに当たって短尺柵部材と縦杆部材とを組み合わせている。なお、前記各実施の形態と同一の部分については同じ符号を付してその詳細な説明は省略する。
【００７５】
図１８は本発明の第６の実施の形態に係る凹部付きペット用サークルの平面図を示し、この図１８において符号１Ｇで示す凹部付きペット用サークルは、家屋内に設置され、その家屋内の柱や壁等の障害物（図示せず）との干渉を回避する上で、サークル本体１０Ｇの内方へ凹む凹部５Ｇを有している。この凹部５Ｇは、サークル本体１０Ｇの直線部１１ｂと対向する単一の仮想直線部５ｂよりサークル本体１０Ｇの内方へ凹ませて形成されている。
【００７６】
仮想直線部５ｂ上には、サークル本体１０Ｇの各柵部材２とは置換された微短尺柵部材５６と出入口用柵部材６とが配置され、この微短尺柵部材５６と出入口用柵部材６との一方の左右方向端５１，６１同士が、１つの柵部材２（図１８に二点鎖線で示す）の左右長さに相当する間隔を隔てて互いに対向している。
【００７７】
凹部５Ｇは、サークル本体１０Ｆの各柵部材２と同一の１組の柵部材２，２と、各柵部材２とは置換された微短尺柵部材５６とにより形成されている。具体的には、凹部５Ｇは、単一の仮想直線部５ｂ上の微短尺柵部材５６及び出入口用柵部材６の一方の左右方向端２１，６１の裏側辺２１２，６１２に対してそれぞれ一方の左右方向端２１の裏側辺２１２のみを突き合わせた状態で角部用固定具４により連結されて前記サークル本体１０Ｇの内方向きに縦方向へ略平行に延びる１組の柵部材２，２と、この１組の柵部材２，２の内方側における他方の左右方向端２１，２１の表側辺２１１，２１１に対してそれぞれ左右方向端５１の表側辺５１１のみを突き合わせた状態で当該１組の柵部材２，２の他方の左右方向端２１，２１同士をそれぞれ角部用固定具４により連結する連結用の微短尺柵部材５６とを備えている。
【００７８】
両微短尺柵部材５６の枠体５６０の左右方向の長さは、凹部５Ｇを形成する１組の柵部材２毎の表裏方向の厚みによりそれぞれ増大する仮想直線部５ｂの直線方向の長さの増大分の半分だけ短い長さに設定されている。また、仮想直線部５ｂと対向するサークル本体１０Ｇの直線部１１ｂ上において互いに隣接する２組の柵部材２，２同士の間には、断面略矩形状の縦杆部材５７がそれぞれ介設されている。この各縦杆部材５７の左右方向の長さは、凹部５Ｇを形成する１組の柵部材２，２毎の表裏方向の厚みによりそれぞれ増大する仮想直線部５ｂの直線方向の長さの増大分の残り半分に相当する長さに設定されている。
【００７９】
また、直線部１１ｂ上における直線部用固定具３は、長尺材３７を有する長尺材用締結具３３と、縦杆用締結具３５とを備えている。長尺材３７は、縦杆部材５７を挟んで互いに相隣なる双方の柵部材２，２の縦杆２２の左右方向貫通孔２６，２６に縦杆用締結具３５を挿通する上で、縦杆部材５７の左右方向の長さ分だけ長尺に形成されている。
【００８０】
したがって、本実施の形態では、単一の仮想直線部５ｂ上の短尺柵部材５０及び凹部５Ｇ内の短尺柵部材５０が、１組の柵部材２，２毎の表裏方向の厚みによってそれぞれ増大する増大分の半分の長さだけ枠体５０１の左右方向の長さが短く設定されているとともに、単一の仮想直線部５ｂと対向するサークル本体１０Ｇの直線部１１ｂ上において互いに隣接する２組の柵部材２，２同士の間に、１組の柵部材２，２毎の表裏方向の厚みによってそれぞれ増大する増大分の残り半分に相当する左右方向の長さに設定された縦杆部材５７が介設されているので、凹部５Ｇを形成する１組の柵部材２，２毎の表裏方向の厚みによって仮想直線部５ｂの直線方向へそれぞれ増大する長さの増大分の半分の長さが各微短尺柵部材５６により吸収されるとともに、その１組の柵部材２，２毎の増大分の残る半分の長さが直線部１１ｂ上での各縦杆部材５７の介設によってそれぞれ解消され、仮想直線部５ｂとこれに対向するサークル本体１０Ｇの直線部１１ｂとの互いの直線方向への長さに差が生じることがない。これにより、凹部５Ｇを有するサークル本体１０Ｇを確実に閉成することができる。
【００８１】
しかも、微短尺柵部材５６及び縦杆部材５７を併用することで、凹部５Ｇの大きさを可及的に小さく止めつつ微短尺柵部材５６を除いて全て同一の柵部材２，２，…によりサークル本体１０Ｇを形成することができる。
【００８２】
なお、本実施の形態では、凹部５Ｇを形成する１組の柵部材２，２毎の表裏方向の厚みにより増大する仮想直線部５ｂの直線方向の長さの増大分の半分だけ枠体５６０の左右方向の長さを短くした微短尺柵部材５６と、その仮想直線部５ｂの直線方向の長さの増大分の残り半分に相当する左右方向の長さの縦杆部材５７とを用いたが、仮想直線部の直線方向の長さの増大分が、１組の柵部材毎のうちの１つの柵部材の全ての増大分だけ枠体の左右方向長さを短くした単一の短尺柵部材と、残る１つの柵部材の全ての増量分に相当する左右方向長さの単一の縦杆部材とで分担されていてもよい。また、仮想直線部の直線方向の長さの増大分のうちの１つの柵部材の増大分の分担割合が、短尺柵部材と縦杆部材とで任意に設定されていてもよい。更に、１組の柵部材による仮想直線部の直線方向の長さの増大分が、その増大分だけ枠体の左右方向の長さを短くした単一の短尺柵部材によって吸収、又は増大分に相当する左右方向の長さの単一の縦杆部材によって解消されるようにしてもよい。
【００８３】
次に、本発明の第７の実施の形態を図１９に基づいて説明する。
この実施の形態では、２つの仮想直線部５ａ，５ｂに跨る凹部の内方においてサークル本体の外方へ突出する段部を設けている。なお、前記各実施の形態と同一の部分については同じ符号を付してその詳細な説明は省略する。
【００８４】
図１９において符号１Ｈで示す凹部付きペット用サークルは、家屋内に設置され、その家屋内の柱や壁等の障害物（図示せず）との干渉を回避する上で、サークル本体１０Ｈの内方へ凹む凹部５Ｈを有している。この凹部５Ｈは、サークル本体１０Ｈの直線部１１ａ，１１ｂと対向する仮想直線部５ａ，５ｂよりサークル本体１０Ｈの内方へ凹ませて形成され、当該仮想直線部５ａ，５ｂに跨って凹設されている。
【００８５】
サークル本体１０Ｈの角部１２を挟んで隣接する２つの直線部１１ａ，１１ｂ上には、それぞれ３枚の柵部材２，２，…が配置されている。そして、互いに隣接する２つの仮想直線部５ａ，５ｂのうちの一方の仮想直線部５ａ上には、直線部１１ｂ上の柵部材２の他方の左右方向端２１に対し他方の左右方向端２１が角部用固定具４により連結された柵部材２が配置されている。また、他方の仮想直線部５ｂ上には、直線部１１ａ上の柵部材２の他方の左右方向端２１に対し他方の左右方向端６１が角部用固定具４により連結された出入口用柵部材６が配置されている。
【００８６】
凹部５Ｈは、サークル本体１０Ｈの各柵部材２とは置換された１組の短尺柵部材５０，５０を備えている。具体的には、凹部５Ｈは、仮想直線部５ａ，５ｂ上の柵部材２及び出入口用柵部材６の一方の左右方向端２１，６１に左右方向端５１，５１の裏側辺５１２，５１２のみをそれぞれ突き合わせた状態で角部用固定具４によりそれぞれ連結して互いに直行する縦方向及び横方向へ延びる２つの短尺柵部材５０，５０より形成されている。
【００８７】
また、凹部５Ｈを形成する１組の短尺柵部材５０，５０の他方の左右方向端５１，５１には、段部７Ａが形成されている。この段部７Ａは、サークル本体１０Ｈの各柵部材２とは置換された１組の短尺柵部材５０，５０を備えている。具体的には、段部７Ａは、凹部５Ｈの各短尺柵部材５０，５０の他方の左右方向端５１，５１に対してそれぞれ一方の左右方向端５１，５１の裏側辺５１２，５１２のみをそれぞれ突き合わせた状態で角部用固定具４によりそれぞれ連結して互いに直行する縦方向及び横方向へ延びる２つの短尺柵部材５０，５０を備え、当該各短尺柵部材５０，５０の他方の左右方向端５１，５１同士が表側辺５１１，５１１のみを互いに突き合わせた状態で角部用固定具４により連結されて形成されている。
【００８８】
そして、凹部５Ｈを形成する各短尺柵部材５０は、当該各短尺柵部材５０毎の表裏方向の厚みによってそれぞれ増大する仮想直線部５ａ，５ｂの直線方向への増大分の長さだけ枠体５０１の左右方向の長さが短く設定されている。また、段部７Ａを形成する１組の短尺柵部材５０，５０も、凹部５Ａを形成する各短尺柵部材５０と同様に、段部７Ａを形成する各短尺柵部材５０毎の表裏方向の厚みによって増大する仮想直線部５ａ，５ｂの直線方向への増大分の長さだけ枠体５０１の左右方向の長さが短く設定されている。
【００８９】
したがって、本実施の形態では、段部７Ａ及び凹部５Ｈを形成する２組の短尺柵部材５０，５０が、それぞれの各短尺柵部材５０毎の表裏方向の厚みによって増大する仮想直線部５ａ，５ｂの直線方向への増大分の長さだけ枠体５０１の左右方向の長さがそれぞれ短く設定されているので、段部７Ａ及び凹部５Ｈを形成する各短尺柵部材５０の表裏方向の厚みによって増大する仮想直線部５ａ，５ｂの直線方向への長さの増大分が当該各短尺柵部材５０によりそれぞれ吸収され、仮想直線部５ａ，５ｂとこれらに対向するサークル本体１０Ｈの直線部１１ａ，１１ｂとの互いの直線方向への長さに差が生じることがない。これにより、２つの仮想直線部５ａ，５ｂに跨る凹部５Ｈ内に段部７Ａを有するサークル本体１Ｈを確実に閉成することができる。
【００９０】
しかも、段部７Ａ及び凹部５Ｈがそれぞれ１組の短尺柵部材５０，５０によって形成されていることにより、段部７Ａ及び凹部５Ｈを最小限度の大きさに止めることができる。
【００９１】
なお、本実施の形態では、段部７Ａを１組の短尺柵部材５０，５０によって形成したが、図２０に示すように、段部７Ｂ及び凹部５Ｊをサークル本体１０Ｊと同一の柵部材２，２，…により形成し、段部７Ｂ及び凹部５Ｊを形成する２組の柵部材２，２とそれぞれ直行するサークル本体１０Ｊの２つの直線部１１ａ，１１ｂ上の柵部材２，２同士の間に、段部７Ｂを形成する２組の柵部材２，２毎のそれぞれの表裏方向の厚みによって増大する増大分の長さに相当する左右方向の長さに設定された縦杆部材５４がそれぞれ２つずつ介設されていてもよい。この場合には、段部７Ｂ及び凹部５Ｊを形成する２組の柵部材２，２毎の表裏方向の厚みによって増大する各仮想直線部５ａ，５ｂ上での直線方向への長さの増大分が、当該各仮想直線部５ａ，５ｂとそれぞれ直行する２つの直線部１１ａ，１１ｂ上での２つの縦杆部材５４，５４の介設によって解消され、各仮想直線部５ａ，５ｂとこれらにそれぞれ対向する各直線部１１ａ，１１ｂとの互いの直線方向への長さに差が生じることがない。これにより、２つの仮想直線部５ａ，５ｂに跨る凹部５Ｊ内に段部７Ｂを有するサークル本体１０Ｊを確実に閉成することが可能となる。しかも、段部７Ｂ及び凹部５Ｊを形成する２組の柵部材２，２によってそれぞれ増大する仮想直線部５ａ，５ｂとそれぞれ直行する直線部１１ａ，１１ｂ上に縦杆部材５４を２つずつ介設することで、サークル本体１０Ｊを段部７Ｂ及び凹部５Ｊと共に全て同一の柵部材２，２，…を用いて形成することが可能となる。
【００９２】
また、図２１に示すように、段部７Ｃを形成する１組の柵部材を、より短尺な最短尺柵部材５８，５８（短尺柵部材）に置換し、この各最短尺柵部材５８が、段部７Ｃを形成する１組の最短尺柵部材５８，５８及び凹部５Ｋを形成する１組の柵部材２，２の表裏方向の厚みによって増大する縦方向又は横方向への増大分の長さ（例えば５２ｍｍ）だけ枠体５８０の左右方向の長さが短く設定されていてもよい。この場合には、段部７Ｃを形成する１組の最短尺柵部材５８，５８が、その最短尺柵部材５８，５８と凹部５Ｋを形成する１組の柵部材２，２との表裏方向の厚みによって増大する増大分だけ枠体５８０の左右方向の長さが短く設定されるので、段部７Ｃ及び凹部５Ｋを形成する各最短尺柵部材５８及び各柵部材２の表裏方向の厚みによって増大する各仮想直線部５ａ，５ｂ上での直線方向への長さの増大分の全量が当該各最短尺柵部材５８により全て吸収され、各仮想直線部５ａ，５ｂとこれらにそれぞれ対向する各直線部１１ａ，１１ｂとの互いの直線方向への長さに差が生じることがない。これにより、凹部５Ｋ内に段部７Ｃを有するサークル本体１０Ｋを確実に閉成することが可能となる。しかも、段部７Ｃが１組の最短尺柵部材５８，５８によって形成されていることにより、１組の最短尺柵部材５８，５８を除いて全て同一の柵部材２，２，…によりサークル本体１０Ｋを形成することが可能となる。
【００９３】
更に、図２２に示すように、段部７Ｄを形成する１組の柵部材を、若干短尺な微短尺柵部材５６，５６に置換し、この１組の各微短尺柵部材５６が、当該各微短尺柵部材５６，５６の表裏方向の厚みによって増大する縦方向又は横方向での増大分の半分の長さだけ枠体５６０の左右方向の長さが短く設定されるとともに、各微短尺柵部材５６とそれぞれ直行する２つの直線部１１ａ，１１ｂ上において互いに隣接する３枚の柵部材２，２，…のうちの一側（図２２では右側及び下側）の２枚の柵部材２，２同士の間に、縦方向又は横方向での増大分の長さのうちの残る半分に相当する左右方向の長さに設定された縦杆部材５７が介設されていてもよい。このとき、直線部１１ａ，１１ｂ上において互いに隣接する３枚の柵部材２，２，…のうちの他側（図２２では左側及び上側）の２枚の柵部材２，２同士の間には、凹部５Ｌを形成する１組の柵部材２，２の表裏方向の厚みによって増大する縦方向又は横方向での増大分の長さに相当する左右方向の長さに設定された縦杆部材５４が介設されている。この場合には、段部７Ｄを形成する各微短尺柵部材５６の表裏方向の厚みによって増大する縦方向又は横方向での長さの増大分のうちの半分の長さが微短尺柵部材５６により吸収されるとともに、増大分のうちの残る半分が当該各微短尺柵部材５６とそれぞれ直行する２つの直線部１１ａ，１１ｂ上での縦杆部材５７の介設によって解消される上、凹部５Ｌを形成する各柵部材２の表裏方向の厚みによって増大する縦方向又は横方向での長さの増大分が当該各柵部材２とそれぞれ直行する２つの直線部１１ａ，１１ｂ上での縦杆部材５４の介設によって解消され、各仮想直線部５ａ，５ｂとこれらにそれぞれ対向する各直線部１１ａ，１１ｂとの互いの直線方向への長さに差が生じることがない。これにより、凹部５Ｌ内に段部７Ｄを有するサークル本体１０Ｌを確実に閉成することが可能となる。しかも、段部７Ｄを１組の微短尺柵部材５６，５６によって形成するとともに、当該各微短尺柵部材５６とそれぞれ直行する直線部１１ａ，１１ｂ上に縦杆部材５４，５７を介設し、かつ凹部５Ｌを形成する各柵部材２とそれぞれ直行する直線部１１ａ，１１ｂ上に縦杆部材５４を介設することで、１組の微短尺柵部材５６，５６を除いて全て同一の柵部材２，２，…によりサークル本体１０Ｌを形成することが可能となる。
【００９４】
次に、本発明の第８の実施の形態を図２３に基づいて説明する。
この実施の形態では、単一の仮想直線部上の凹部の内方において段部を設けている。なお、前記各実施の形態と同一の部分については同じ符号を付してその詳細な説明は省略する。
【００９５】
図２３において符号１Ｍで示す凹部付きペット用サークルは、家屋内に設置され、その家屋内の柱や壁等の障害物（図示せず）との干渉を回避する上で、サークル本体１０Ｍの内方へ凹む凹部５Ｍを有している。この凹部５Ｍは、サークル本体１０Ｍの直線部１１ｂと対向する仮想直線部５ｂよりサークル本体１０Ｍの内方へ凹ませて形成され、当該仮想直線部５ｂ上に凹設されている。
【００９６】
サークル本体１０Ｍの直線部１１ａ，１１ｃ上には、それぞれ３枚の柵部材２，２，…が配置されている。また、直線部１１ｂ上には、４枚の柵部材２，２，…が配置されている。そして、仮想直線部５ｂ上には、サークル本体１０Ｍの各柵部材２とは置換された短尺柵部材５０と出入口用柵部材６とが配置され、この両柵部材５０，６間には２枚の柵部材２，２（図２３に二点鎖線で示す）にほぼ相当する間隔が存在している。この場合、仮想直線部５ｂは、各直線部１１ａ〜１１ｃとによって、略矩形状を呈するサークル本体１０Ｍが仮想で形成可能となっている。
【００９７】
凹部５Ｍは、サークル本体１０Ｍの各柵部材２と同一の１組の柵部材２，２と、各柵部材２とは置換された短尺柵部材５０とにより形成されている。具体的には、凹部５Ｍは、単一の仮想直線部５ｂ上において２つの柵部材２の左右長さに相当する間隔を隔てて互いに対向する短尺柵部材５０及び出入口用柵部材６の互いに向き合う一方の左右方向端５１，６１の裏側辺５１２，６１２に対してそれぞれ一方の左右方向端２１の裏側辺２１２のみを突き合わせた状態で角部用固定具４により連結されてサークル本体１０Ｅの内方向きに縦方向へ略平行に延びる１組の柵部材２，２を備えている。
【００９８】
この１組の柵部材２，２のうちの一方の柵部材２の他方の左右方向端２１には、その他方の左右方向端２１の表裏両辺２１１，２１２に対して一方の左右方向端２１の表裏両辺２１１，２１２をそれぞれ突き合わせた状態で直線部用固定具３により連結されてサークル本体１０Ｅの内方向きに縦方向へ延びる１枚の延長用の柵部材２が連結されている。この延長用の柵部材２の他方の左右方向端２１には、各柵部材２とは置換された連結用の短尺柵部材５０が連結されている。具体的には、延長用の柵部材２の他方の左右方向端２１には、その表側辺２１１に対して一方の左右方向端５１の表側辺５１１のみを突き合わせた状態で連結用の短尺柵部材５０が角部用固定具４により連結されている。この場合、短尺柵部材５０は、直線部１１ａ側（図２３では左側）に向かって横方向へ延びている。
【００９９】
そして、凹部５Ｍを形成する１組の柵部材２，２の他方の左右方向端２１、つまり連結用の短尺用柵部材５０の他方の左右方向端５１及び他方の柵部材２の他方の左右方向端２１には、サークル本体１０Ｍの各柵部材２とは置換された短尺柵部材５０によって段部７Ｅが形成されている。具体的には、段部７Ｅは、連結用の短尺用柵部材５０の他方の左右方向端５１及び他方の柵部材２の他方の左右方向端２１に対して互いに一方の左右方向端５１，５１同士の表側辺５１１，５１１のみを突き合わせた状態で角部用固定具４により連結されて互いに直行する縦方向及び横方向へ延びる１組の短尺用柵部材５０，５０を備え、当該短尺柵部材５０，５０の他方の左右方向端５１，５１同士が裏側辺５１２，５１２のみを互いに突き合わせた状態で角部用固定具４により連結されて形成されている。
【０１００】
そして、段部７Ｅを形成する１組の短尺柵部材５０，５０は、その段部７Ｅを形成する各短尺柵部材５０の表裏方向の厚みによってそれぞれ増大する縦方向又は横方向への増大分の長さだけ枠体５０１の左右方向の長さが短く設定されている。また、凹部５Ｍを形成する１組の柵部材２と直行する方向へ延びる仮想直線部５ｂ上の短尺柵部材５０及び凹部５Ｍの連結用の短尺柵部材５０は、凹部５Ｍを形成する各柵部材２毎の表裏方向の厚みによってそれぞれ増大する仮想直線部５ｂの直線方向への箇々の増大分の長さだけ枠体５０１の左右方向の長さがそれぞれ短く設定されている。
【０１０１】
したがって、本実施の形態では、段部７Ｅを形成する１組の短尺柵部材５０，５０、並びに凹部５Ｍを形成する１組の柵部材２と直行する仮想直線部５ｂ上の短尺柵部材５０及び凹部５Ｍの連結用の短尺柵部材５０が、その段部７Ｅ及び凹部５Ｍを形成する２組の柵部材２（短尺柵部材５０）毎の表裏方向の厚みによって増大する縦方向又は横方向への箇々の増大分の長さだけ枠体５０１の左右方向の長さがそれぞれ短く設定されているので、段部７Ｅ及び凹部５Ｍを形成する各短尺柵部材５０の表裏方向の厚みによって増大する縦方向及び横方向への長さの増大分が当該各短尺柵部材５０によりそれぞれ吸収され、仮想直線部５ｂとこれに対向するサークル本体１０Ｍの直線部１１ｂとの互いの直線方向への長さに差が生じることがない。これにより、単一の仮想直線部５ｂ上の凹部５Ｍ内に段部７Ｅを有するサークル本体１０Ｍを確実に閉成することができる。
【０１０２】
しかも、段部７Ｅが１組の短尺柵部材５０，５０によって形成されていることにより、凹部５Ｍ内の段部７Ｅを最小限度の大きさに止めることができる。
【０１０３】
なお、本実施の形態では、段部７Ｅ及び凹部５Ｍを形成する２組の柵部材２（短尺柵部材５０）毎の表裏方向の厚みによって増大する縦方向又は横方向への箇々の増大分の長さだけ枠体５０１の左右方向の長さをそれぞれ短く設定した４枚の短尺柵部材５０，５０，…を用いたが、図２４に示すように、段部７Ｆを１組の柵部材２，２により形成し、凹部５Ｎを形成する他方の柵部材に、サークル本体１０Ｎの各柵部材２とは置換した短尺柵部材５０を適用するとともに、連結用の柵部材に、サークル本体１０Ｎの各柵部材２とは置換した極めて短尺な極短尺柵部材５９を適用していてもよい。このとき、極短尺柵部材５９は、凹部５Ｎを形成する１組の柵部材２，５０及び段部７Ｆを縦方向へ延びて形成する柵部材２を合わせた３枚分の表裏方向の厚みによって増大する横方向への増大分の長さ（例えば７８ｍｍ）だけ枠体５９０の左右方向の長さが極めて短小に設定されているとともに、短尺柵部材５０は、段部７Ａを横方向へ延びて形成する柵部材２の表裏方向の厚みによって増大する縦方向への増大分の長さだけ枠体５０１の左右方向の長さが短く設定されている。この場合には、凹部５Ｎを形成する１組の柵部材２，５０及び段部７Ｆを縦方向へ延びて形成する柵部材２を合わせた３枚分の表裏方向の厚みによって増大する横方向への増大分が極短尺柵部材５９によって吸収されるとともに、段部７Ｆを横方向へ延びて形成する柵部材２の表裏方向の厚みによって増大する縦方向への増大分が短尺柵部材５０によって吸収され、凹部５Ｎ内で互いに対向する縦方向への長さに差が生じることがない上、仮想直線部５ｂとこれに対向するサークル本体１０Ｎの直線部１１ｂとの互いの直線方向への長さに差が生じることがない。これにより、単一の仮想直線部５ｂ上の凹部５Ｎ内に段部７Ｆを有するサークル本体１０Ｆを確実に閉成することができる。しかも、段部７Ｆ及び凹部５Ｎを形成する２組の柵部材２，２（短尺柵部材５０）によってそれぞれ増大する縦方向及び横方向への増大分を短尺柵部材５０及び極短尺柵部材５９によって吸収することで、短尺柵部材５０及び極短尺柵部材５９を除いて全て同一の柵部材２，２，…によりサークル本体１０Ｎを段部７Ｆ及び凹部５Ｎと共に形成することが可能となる。
【０１０４】
また、図２５に示すように、サークル本体１０Ｐを段部７Ｇ及び凹部５Ｐと共に全て柵部材２，２によって形成し、仮想直線部５ｂと対向する直線部１１ｂにおける各柵部材２同士の間に、凹部５Ｐを形成する１組の柵部材２，２毎及び段部７Ｇを縦方向へ延びて形成する柵部材２毎の表裏方向の厚みによって箇々に増大する横方向の増大分の長さに相当する左右方向の長さに設定された３つの縦杆部材５４がそれぞれ介設されているとともに、段部７Ｇを横方向へ延びて形成する柵部材２と対向する凹部５Ｐ内の直線部５５において互いに隣接する柵部材２，２同士の間に、段部７Ｇを横方向へ延びて形成する柵部材２の表裏方向の厚みによって増大する縦方向の増大分の長さに相当する左右方向の長さに設定された縦杆部材５４が介設されていてもよい。この場合には、凹部５Ｐを形成する２組の柵部材２，２毎及び段部７Ｇを縦方向へ延びて形成する柵部材２毎の表裏方向の厚みによって箇々に増大する長さの増大分が当該各柵部材２とそれぞれ直行する２つの直線部１１ｂ，５５上での縦杆部材５４の介設によってそれぞれ解消され、凹部５Ｐ内で互いに対向する縦方向への長さに差が生じることがない上、仮想直線部５ｂとこれに対向するサークル本体１０Ｐの直線部１１ｂとの互いの横方向への長さに差が生じることがない。これにより、単一の仮想直線部５ｂ上の凹部５Ｐ内に段部７Ｇを有するサークル本体１０Ｐを確実に閉成することができる。しかも、段部７Ｇ及び凹部５Ｐを形成する２組の柵部材２，２によってそれぞれ増大する縦方向及び横方向への増大分を縦杆部材５４の介設によってそれぞれ解消することで、全て同一の柵部材２，２，…によりサークル本体１０Ｐを段部７Ｇ及び凹部５Ｐと共に形成することが可能となる。
【０１０５】
更に、図２６に示すように、段部７Ｈを１組の柵部材２，２により形成し、凹部５Ｑを形成する他方の柵部材及び連結用の柵部材に、サークル本体１０Ｑの各柵部材２とは置換した短尺柵部材５０を適用するとともに、仮想直線部５ｂと対向する直線部１１ｂにおける各柵部材２同士の間に、２つの縦杆部材５４がそれぞれ介設されていてもよい。このとき、短尺柵部材５０は、段部７Ｈを形成する短尺柵部材２，２の表裏方向の厚みによって増大する縦方向及び横方向での増大分の長さだけ枠体５０１の左右方向の長さが短く設定されているとともに、各縦杆部材５４は、凹部５Ｑを形成する１組の柵部材２，２毎の表裏方向の厚みによって箇々に増大する横方向の増大分の長さに相当する左右方向の長さに設定されている。この場合には、段部７Ｈを形成する１組の柵部材２，２の表裏方向の厚みによって増大する縦方向及び横方向での長さの増大分が短尺柵部材５０によりそれぞれ吸収される上、凹部５Ｑを形成する１組の短尺柵部材２，２の表裏方向の厚みによって増大する横方向での増大分の長さが直線部１１ｂ上での２つの縦杆部材５４，５４の介設によって解消され、凹部５Ｑ内で互いに対向する縦方向及び横方向への長さに差が生じることがない上、仮想直線部５ｂとこれに対向するサークル本体１０Ｐの直線部１１ｂとの互いの横方向への長さに差が生じることがない。これにより、単一の仮想直線部５ｂ上の凹部５Ｑ内に段部７Ｈを有するサークル本体１０Ｑを確実に閉成することが可能となる。しかも、凹部５Ｑ内において段部７Ｈを形成する１組の柵部材２，２と直行する柵部材に短尺柵部材５０，５０を適用するとともに、凹部５Ｑを形成する各柵部材２及び短尺柵部材５０とそれぞれ直行する直線部１１ｂ上に２つの縦杆部材５４，５４を介設することで、２枚の短尺柵部材５０，５０を除いて全て同一の柵部材２，２，…によりサークル本体１０Ｑを段部７Ｈ及び凹部５Ｑと共に形成することが可能となる。
【０１０６】
また、前記各実施の形態では、長尺材３４，３７を、相隣なる双方の柵部材２，２の間に挟まれる縦杆部材５４の左右方向の長さ分だけ長尺に形成したものを用いたが、最も左右方向の長い長尺材つまり柵部材の表裏方向の厚みと同じ長さに設定された長尺材を用い、互いに相隣なる双方の柵部材の一方の左右方向端同士の表裏方向貫通孔に対応する表裏方向対応孔のうちの少なくとも一方の表裏方向対応孔が、縦杆部材を介在させない場合から最も左右方向の長さの長い縦杆部材を介在させる場合を全てカバーする長孔に形成されていてもよい。この場合には、縦杆部材の有無及び縦杆部材の左右方向の長さ分に応じて長尺材を変更する必要がなく、単一種類で兼用することが可能となる。
【符号の説明】
【０１０７】
１Ａ〜１Ｑ      凹部付きペット用サークル
１０Ａ〜１０Ｑ  サークル本体
１１ａ，１１ｂ  直線部
１２            角部
２              柵部材
２０            枠体
２１            左右方向端
２１１          表側辺
２１２          裏側辺
２２            縦杆
２３            横杆
５ａ，５ｂ      仮想直線部
５Ａ〜５Ｑ      凹部
５０            短尺柵部材
５０１          枠体
５１            左右方向端
５４，５７      縦杆部材
５５            直線部
５６            微短尺柵部材（短尺柵部材）
５６０          枠体
５８            最短尺柵部材（短尺柵部材）
５８０          枠体
５９            極短尺柵部材（短尺柵部材）
５９０          枠体
６              出入口用柵部材（柵部材）
６０            枠体
６１            左右方向端
７Ａ〜７Ｈ      段部
【図１】
2014003944.tif 000003
【図２】
2014003944.tif 000004
【図３】
2014003944.tif 000005
【図４】
2014003944.tif 000006
【図５】
2014003944.tif 000007
【図６】
2014003944.tif 000008
【図７】
2014003944.tif 000009
【図８】
2014003944.tif 000010
【図９】
2014003944.tif 000011
【図１０】
2014003944.tif 000012
【図１１】
2014003944.tif 000013
【図１２】
2014003944.tif 000014
【図１３】
2014003944.tif 000015
【図１４】
2014003944.tif 000016
【図１５】
2014003944.tif 000017
【図１６】
2014003944.tif 000018
【図１７】
2014003944.tif 000019
【図１８】
2014003944.tif 000020
【図１９】
2014003944.tif 000021
【図２０】
2014003944.tif 000022
【図２１】
2014003944.tif 000023
【図２２】
2014003944.tif 000024
【図２３】
2014003944.tif 000025
【図２４】
2014003944.tif 000026
【図２５】
2014003944.tif 000027
【図２６】
2014003944.tif 000028